(57)【特許請求の範囲】
【請求項１】
プロモーション情報を掲載することの有効性を決定するための方法であって、
モニタリングサーバが複数の特性情報を取得するために複数の端末によって送信された特性情報を受信するステップであって、前記複数の特性情報は、前記複数の端末毎にそれぞれ前記プロモーション情報の表示処理中に前記プロモーション情報をモニタリングすることによって取得され、前記複数の特性情報は、ソーシャルアプリケーションの特定アカウントまたは端末情報を含む、ステップと、
前記モニタリングサーバが前記複数の特性情報に基づいて前記プロモーション情報のエクスポージャーの総数および前記プロモーション情報上でのクリックの総数に関する統計を作成するステップと、
前記モニタリングサーバが複数のユーザ属性を取得するために前記複数の端末に対応するユーザ属性を、前記複数の特性情報に基づいて、決定するステップと、
前記モニタリングサーバが前記複数のユーザ属性および前記プロモーション情報のターゲットユーザ属性に基づいて前記プロモーション情報のヒットエクスポージャーの数に関する統計を作成するステップと、
前記モニタリングサーバが前記プロモーション情報のヒットエクスポージャーの前記数、前記プロモーション情報のエクスポージャーの前記総数、および前記プロモーション情報上でのクリックの前記総数に基づいて前記プロモーション情報を掲載することの前記有効性を決定するステップとを含む、方法。
【請求項２】
前記モニタリングサーバが前記複数のユーザ属性を取得するために前記複数の端末に対応する前記ユーザ属性を、前記複数の特性情報に基づいて、決定するステップは、
前記モニタリングサーバが前記複数の特性情報のうちの特性情報のそれぞれについて、前記特性情報に基づいて前記ソーシャルアプリケーションのターゲット特定アカウントを決定するステップと、
前記モニタリングサーバが前記ソーシャルアプリケーションの前記ターゲット特定アカウントに基づいて前記ソーシャルアプリケーションの特定アカウントとユーザ属性との間の保存されている対応付けから、前記端末に対応する前記ユーザ属性を獲得するステップとを含む、請求項１に記載の方法。
【請求項３】
前記モニタリングサーバが前記特性情報に基づいて前記ソーシャルアプリケーションの前記ターゲット特定アカウントを決定するステップは、
前記モニタリングサーバが前記特性情報が対応する端末のアドレス情報である場合には、アドレス情報、前記ソーシャルアプリケーションの特定アカウント、およびログイン回数間の保存されている対応付けから、前記ソーシャルアプリケーションの少なくとも１つの特定アカウントおよび前記ソーシャルアプリケーションの前記少なくとも１つの特定アカウントがログオンされた回数を、前記アドレス情報に基づいて、獲得するステップと、
前記モニタリングサーバが前記ソーシャルアプリケーションの前記少なくとも１つの特定アカウントから前記ログイン回数が最大の前記ソーシャルアプリケーションの特定アカウントを選択するステップと、
前記モニタリングサーバが前記ソーシャルアプリケーションの前記ターゲット特定アカウントとして前記ソーシャルアプリケーションの前記選択された特定アカウントを決定するステップとを含む、請求項２に記載の方法。
【請求項４】
前記モニタリングサーバが前記特性情報に基づいて前記ソーシャルアプリケーションの前記ターゲット特定アカウントを決定するステップは、
前記モニタリングサーバが前記特性情報が対応する端末のモバイル端末識別子である場合には、モバイル端末識別子、前記ソーシャルアプリケーションの特定アカウント、およびタイムスタンプ間の保存されている対応付けから、前記ソーシャルアプリケーションの少なくとも１つの特定アカウントおよび前記ソーシャルアプリケーションの前記少なくとも１つの特定アカウントのタイムスタンプを、前記モバイル端末識別子に基づいて、獲得するステップと、
前記モニタリングサーバが前記ソーシャルアプリケーションの前記少なくとも１つの特定アカウントから前記タイムスタンプが現在時刻に最も近い前記ソーシャルアプリケーションの特定アカウントを選択するステップと、
前記モニタリングサーバが前記ソーシャルアプリケーションの前記ターゲット特定アカウントとして前記ソーシャルアプリケーションの前記選択された特定アカウントを決定するステップとを含む、請求項２に記載の方法。
【請求項５】
前記モニタリングサーバが前記特性情報に基づいて前記ソーシャルアプリケーションの前記ターゲット特定アカウントを決定するステップは、
前記モニタリングサーバが前記特性情報が対応する端末のモバイル端末識別子である場合には、モバイル端末識別子、前記ソーシャルアプリケーションの特定アカウント、およびログイン回数間の保存されている対応付けから、前記ソーシャルアプリケーションの少なくとも１つの特定アカウントおよび前記ソーシャルアプリケーションの前記少なくとも１つの特定アカウントがログオンされた回数を、前記モバイル端末識別子に基づいて、獲得するステップと、
前記モニタリングサーバが前記ソーシャルアプリケーションの前記少なくとも１つの特定アカウントから前記ログイン回数が最大の前記ソーシャルアプリケーションの特定アカウントを選択するステップと、
前記モニタリングサーバが前記ソーシャルアプリケーションの前記ターゲット特定アカウントとして前記ソーシャルアプリケーションの前記選択された特定アカウントを決定するステップとを含む、請求項２に記載の方法。
【請求項６】
前記モニタリングサーバが前記特性情報に基づいて前記ソーシャルアプリケーションのターゲット特定アカウントを決定するステップは、
前記モニタリングサーバが前記特性情報が前記ソーシャルアプリケーションの特定アカウントである場合には、前記ソーシャルアプリケーションの前記特定アカウントを前記ソーシャルアプリケーションの前記ターゲット特定アカウントとして決定するステップを含む、請求項２に記載の方法。
【請求項７】
前記モニタリングサーバが前記プロモーション情報のヒットエクスポージャーの前記数、前記プロモーション情報のエクスポージャーの前記総数、および前記プロモーション情報上でのクリックの前記総数に基づいて前記プロモーション情報を掲載することの前記有効性を決定するステップは、
前記モニタリングサーバが前記プロモーション情報のターゲットユーザカバレッジレートを取得するために前記プロモーション情報のヒットエクスポージャーの前記数を前記プロモーション情報のエクスポージャーの前記総数で除算するステップと、
前記モニタリングサーバが前記プロモーション情報のクリックレートを取得するために前記プロモーション情報上でのクリックの前記総数を前記プロモーション情報のエクスポージャーの前記総数で除算するステップと、
前記モニタリングサーバが前記プロモーション情報の前記ターゲットユーザカバレッジレートおよび前記プロモーション情報の前記クリックレートに基づいて前記プロモーション情報の掲載有効性インデックスを計算するステップと、
前記モニタリングサーバが前記プロモーション情報の前記掲載有効性インデックスに基づいて前記プロモーション情報を掲載することの前記有効性を決定するステップとを含む、請求項１に記載の方法。
【請求項８】
前記モニタリングサーバが前記複数のユーザ属性および前記プロモーション情報の前記ターゲットユーザ属性に基づいて前記プロモーション情報のヒットエクスポージャーの前記数に関する前記統計を作成するステップの前に、
前記モニタリングサーバが属性設定命令を受信すると、ユーザ属性リストを表示するステップと、
前記モニタリングサーバが属性選択命令を受信するステップであって、前記属性選択命令は、情報プロモータによって前記ユーザ属性リストから選択されたユーザ属性を搬送する、ステップと、
前記モニタリングサーバが前記ターゲットユーザ属性として前記選択されたユーザ属性を決定するステップとをさらに含む、請求項１に記載の方法。
【請求項９】
プロモーション情報を掲載することの有効性を決定するための方法であって、
端末がマルチメディア情報を閲覧するための命令を受信すると、前記マルチメディア情報に掲載されているプロモーション情報を表示するステップと、
前記端末が前記プロモーション情報の表示処理中に前記プロモーション情報の特性情報を獲得するステップであって、前記特性情報は、ソーシャルアプリケーションの特定アカウントまたは端末情報を含み、前記特性情報は、前記プロモーション情報のヒットエクスポージャーの数、前記プロモーション情報のエクスポージャーの総数、および前記プロモーション情報上でのクリックの総数を決定するために用いられ、前記プロモーション情報のエクスポージャーの総数、および前記プロモーション情報上でのクリックの総数は、前記プロモーション情報を掲載することの有効性を決定するために用いられる、ステップと、
モニタリングサーバが前記プロモーション情報の前記特性情報に基づいて前記プロモーション情報を掲載することの有効性を決定することができるように前記端末が前記モニタリングサーバに前記プロモーション情報の前記特性情報を送信するステップとを含み、
前記端末が前記プロモーション情報の前記表示処理中に前記プロモーション情報の前記特性情報を獲得するステップは、
前記端末が前記ソーシャルアプリケーションの特定アカウントが端末において現在ログオンされているかどうかを前記プロモーション情報の前記表示処理中に評価するステップと、
前記端末が前記ソーシャルアプリケーションの前記特定アカウントが前記端末において現在ログオンされている場合には、前記端末において現在ログオンされている前記ソーシャルアプリケーションの前記特定アカウントを前記プロモーション情報の前記特性情報として決定するステップとを含み、
前記端末が前記ソーシャルアプリケーションの前記特定アカウントが前記端末において現在ログオンされているかどうかを評価するステップの後に、
前記ソーシャルアプリケーションの前記特定アカウントが前記端末において現在ログオンされていない場合には、前記端末が前記ソーシャルアプリケーションのドメイン名に従って前記ソーシャルアプリケーションの前記特定アカウントに関してウェブページキャッシュを検索するステップと、
前記ソーシャルアプリケーションの前記特定アカウントが見つかった場合には、前記端末が前記ソーシャルアプリケーションの前記見つかった特定アカウントを前記プロモーション情報の前記特性情報として決定するステップと、
前記ソーシャルアプリケーションの前記特定アカウントが見つからなかった場合には、前記端末が前記端末のタイプを決定するステップと、
前記端末が固定端末である場合には、前記端末が前記端末のアドレス情報を前記プロモーション情報の前記特性情報として決定するステップと、
前記端末がモバイル端末である場合には、前記端末が前記端末のモバイル端末識別子を前記プロモーション情報の前記特性情報として決定するステップとをさらに含む、方法。
【請求項１０】
モニタリングサーバであって、
１つまたは複数のプロセッサと、
前記１つまたは複数のプロセッサと接続されるメモリとを備え、前記メモリは、前記１つまたは複数のプロセッサによって実行可能な命令を記憶するように構成され、
前記１つまたは複数のプロセッサは、前記メモリに記憶されている前記命令を実行するように構成され、前記メモリは、
複数の特性情報を取得するために複数の端末によって送信された特性情報を受信するステップであって、前記複数の特性情報は、前記複数の端末毎にそれぞれプロモーション情報の表示処理中に前記プロモーション情報をモニタリングすることによって取得され、前記複数の特性情報は、ソーシャルアプリケーションの特定アカウントまたは端末情報を含む、ステップと、
前記複数の特性情報に基づいて前記プロモーション情報のエクスポージャーの総数および前記プロモーション情報上でのクリックの総数に関する統計を作成するステップと、
複数のユーザ属性を取得するために前記複数の端末に対応するユーザ属性を、前記複数の特性情報に基づいて、決定するステップと、
前記複数のユーザ属性および前記プロモーション情報のターゲットユーザ属性に基づいて前記プロモーション情報のヒットエクスポージャーの数に関する統計を作成するステップと、
前記プロモーション情報のヒットエクスポージャーの前記数、前記プロモーション情報のエクスポージャーの前記総数、および前記プロモーション情報上でのクリックの前記総数に基づいて前記プロモーション情報を掲載することの有効性を決定するステップからなる動作を実行するように構成される命令を含む、モニタリングサーバ。
【請求項１１】
前記メモリは、
前記複数の特性情報のうちの特性情報のそれぞれについて、前記特性情報に基づいて前記ソーシャルアプリケーションのターゲット特定アカウントを決定するステップと、
前記ソーシャルアプリケーションの前記ターゲット特定アカウントに基づいて前記ソーシャルアプリケーションの特定アカウントとユーザ属性との間の保存されている対応付けから、前記端末に対応する前記ユーザ属性を獲得するステップからなる動作を実行するように構成される命令を含む、請求項１０に記載のモニタリングサーバ。
【請求項１２】
前記メモリは、
前記特性情報が対応する端末のアドレス情報である場合には、アドレス情報、前記ソーシャルアプリケーションの特定アカウント、およびログイン回数間の保存されている対応付けから、前記ソーシャルアプリケーションの少なくとも１つの特定アカウントおよび前記ソーシャルアプリケーションの前記少なくとも１つの特定アカウントがログオンされた回数を、前記アドレス情報に基づいて、獲得するステップと、
前記ソーシャルアプリケーションの前記少なくとも１つの特定アカウントから前記ログイン回数が最大の前記ソーシャルアプリケーションの特定アカウントを選択するステップと、
前記ソーシャルアプリケーションの前記ターゲット特定アカウントとして前記ソーシャルアプリケーションの前記選択された特定アカウントを決定するステップからなる動作を実行するように構成される命令を含む、請求項１１に記載のモニタリングサーバ。
【請求項１３】
前記メモリは、
前記特性情報が対応する端末のモバイル端末識別子である場合には、モバイル端末識別子、前記ソーシャルアプリケーションの特定アカウント、およびタイムスタンプ間の保存されている対応付けから、前記ソーシャルアプリケーションの少なくとも１つの特定アカウントおよび前記ソーシャルアプリケーションの前記少なくとも１つの特定アカウントのタイムスタンプを、前記モバイル端末識別子に基づいて、獲得するステップと、
前記ソーシャルアプリケーションの前記少なくとも１つの特定アカウントから前記タイムスタンプが現在時刻に最も近い前記ソーシャルアプリケーションの特定アカウントを選択するステップと、
前記ソーシャルアプリケーションの前記ターゲット特定アカウントとして前記ソーシャルアプリケーションの前記選択された特定アカウントを決定するステップからなる動作を実行するように構成される命令を含む、請求項１１に記載のモニタリングサーバ。
【請求項１４】
前記メモリは、
前記特性情報が対応する端末のモバイル端末識別子である場合には、モバイル端末識別子、前記ソーシャルアプリケーションの特定アカウント、およびログイン回数間の保存されている対応付けから、前記ソーシャルアプリケーションの少なくとも１つの特定アカウントおよび前記ソーシャルアプリケーションの前記少なくとも１つの特定アカウントがログオンされた回数を、前記モバイル端末識別子に基づいて、獲得するステップと、
前記ソーシャルアプリケーションの前記少なくとも１つの特定アカウントから前記ログイン回数が最大の前記ソーシャルアプリケーションの特定アカウントを選択するステップと、
前記ソーシャルアプリケーションの前記ターゲット特定アカウントとして前記ソーシャルアプリケーションの前記選択された特定アカウントを決定するステップからなる動作を実行するように構成される命令を含む、請求項１１に記載のモニタリングサーバ。
【請求項１５】
前記メモリは、
前記特性情報が前記ソーシャルアプリケーションの特定アカウントである場合には、前記ソーシャルアプリケーションの前記特定アカウントを前記ソーシャルアプリケーションの前記ターゲット特定アカウントとして決定するステップからなる動作を実行するように構成される命令を含む、請求項１１に記載のモニタリングサーバ。
【請求項１６】
前記メモリは、
前記プロモーション情報のターゲットユーザカバレッジレートを取得するために前記プロモーション情報のヒットエクスポージャーの前記数を前記プロモーション情報のエクスポージャーの前記総数で除算するステップと、
前記プロモーション情報のクリックレートを取得するために前記プロモーション情報上でのクリックの前記総数を前記プロモーション情報のエクスポージャーの前記総数で除算するステップと、
前記プロモーション情報の前記ターゲットユーザカバレッジレートおよび前記プロモーション情報の前記クリックレートに基づいて前記プロモーション情報の掲載有効性インデックスを計算するステップと、
前記プロモーション情報の前記掲載有効性インデックスに基づいて前記プロモーション情報を掲載することの前記有効性を決定するステップからなる動作を実行するように構成される命令を含む、請求項１０に記載のモニタリングサーバ。
【請求項１７】
前記メモリは、
属性設定命令を受信すると、ユーザ属性リストを表示するステップと、
属性選択命令を受信するステップであって、前記属性選択命令は、情報プロモータによって前記ユーザ属性リストから選択されたユーザ属性を搬送する、ステップと、
前記ターゲットユーザ属性として前記選択されたユーザ属性を決定するステップからなる動作を実行するように構成される命令を含む、請求項１０に記載のモニタリングサーバ。
【発明の詳細な説明】
【技術分野】
【０００１】
その全体が参照により本明細書に組み込まれている、2015年5月11日に出願され、「Method for Determining the Effectiveness of Popularizing Information Release, Monitoring Server, and Terminal」と題する、中国特許出願第201510236298.0号に基づいて出願するものであり、中国特許出願第201510236298.0号に対する優先権を主張する。
【０００２】
開示は、インターネットの技術分野に関し、詳細には、プロモーション情報を掲載することの有効性を決定するための方法、モニタリングサーバおよび端末に関する。
【背景技術】
【０００３】
インターネットの急速な発展にともない、ますます多くのユーザが、インターネットを介して、ウェブページ、ビデオ、および音楽などのマルチメディア情報を閲覧しており、そのため、ますます多くのプロモーション情報がマルチメディア情報に掲載されるようになっている、例えば、プロモーション情報は広告である。プロモーション情報がユーザによって閲覧されているかまたはされていないか、プロモーション情報の影響度、およびプロモーション情報によって情報プロモータにもたらされるフィードバックなどのファクターは、プロモーション情報を掲載することの有効性を評価するために採用される場合がある。したがって、プロモーション情報を掲載することの有効性を決定するための方法は、圧倒的多数の情報プロモータの関心事となっている。
【０００４】
現在、情報プロモータは、掲載するためにマルチメディア情報にプロモーション情報を埋め込み得るし、端末がマルチメディア情報を再生すると、端末は、プロモーション情報サーバにプロモーション情報獲得要求を送信して対応するプロモーション情報をプロモーション情報サーバから獲得し、プロモーション情報を表示してプロモーション情報を公開する。加えて、プロモーション情報を表示する処理中に、端末は、プロモーション情報上でのクリックの数およびプロモーション情報のエクスポージャーの数に関する統計を作成し、端末のインターネット・プロトコル(IP)アドレス、端末が位置する領域、および端末上でのプロモーション情報のエクスポージャー回数などの特性情報を獲得し、モニタリングサーバがプロモーション情報のエクスポージャーの総数、プロモーション情報上でのクリックの総数、およびプロモーション情報の特性情報に関する統計を作成することができるように、モニタリングサーバに、エクスポージャーの取得した数、クリック数、および特性情報を送信し、プロモーション情報のエクスポージャーの総数、プロモーション情報上でのクリックの総数、およびプロモーション情報の特性情報に基づいてプロモーション情報を掲載することの有効性を決定し得る。
【０００５】
プロモーション情報の視聴ユーザをターゲットユーザと称し、プロモーション情報を閲覧しているユーザの大半がプロモーション情報のターゲットユーザではない場合には、ユーザの大半は、プロモーション情報が上述した方法で掲載されている場合には、プロモーション情報に注意を払っていない場合があり、フィードバックが情報プロモータにまったくもたらされず、プロモーション情報を掲載することの有効性の決定精度は比較的低くなっている。
【発明の概要】
【課題を解決するための手段】
【０００６】
従来技術の問題を解決するために、開示の実施形態は、プロモーション情報を掲載することの有効性を決定するための方法、モニタリングサーバおよび端末を提供している。技術的解決手法を以下のように実施している。
【０００７】
第1の態様において、プロモーション情報を掲載することの有効性を決定するための方法を提供しており、方法は、
複数の端末によって送信された特性情報を、複数の特性情報を取得するために受信し、複数の特性情報は、複数の端末毎にそれぞれプロモーション情報をモニタリングすることによって取得され、複数の特性情報は、ソーシャルアプリケーションの特定アカウントまたは端末情報を含み、
プロモーション情報のエクスポージャーの総数およびプロモーション情報上でのクリックの総数に関する統計を複数の特性情報に基づいて作成し、
複数の端末に対応するユーザ属性を、複数のユーザ属性を取得するために複数の特性情報に基づいて決定し、
プロモーション情報のヒットエクスポージャーの数に関する統計を複数のユーザ属性およびプロモーション情報のターゲットユーザ属性に基づいて作成し、
プロモーション情報を掲載することの有効性をプロモーション情報のヒットエクスポージャーの数、プロモーション情報のエクスポージャーの総数、およびプロモーション情報上でのクリックの総数に基づいて決定することを含み得る。
【０００８】
第2の態様において、プロモーション情報を掲載することの有効性を決定するための方法を提供しており、方法は、
マルチメディア情報を閲覧するための命令を受信すると、マルチメディア情報に掲載されているプロモーション情報を表示し、
プロモーション情報の特性情報をプロモーション情報の表示処理中に獲得し、特性情報は、ソーシャルアプリケーションの特定アカウントまたは端末情報を含み、
特性情報をモニタリングサーバが特性情報に基づいてプロモーション情報を掲載することの有効性を決定することができるようにモニタリングサーバに送信することを含み得る。
【０００９】
第3の態様において、モニタリングサーバを提供しており、モニタリングサーバは、
複数の特性情報を取得するために複数の端末によって送信された特性情報を受信するように構成される、受信モジュールであって、複数の特性情報は、複数の端末毎にそれぞれプロモーション情報をモニタリングすることによって取得され、複数の特性情報は、ソーシャルアプリケーションの特定アカウントまたは端末情報を含む、受信モジュールと、
複数の特性情報に基づいてプロモーション情報のエクスポージャーの総数およびプロモーション情報上でのクリックの総数に関する統計を作成するように構成される、第1の統計モジュールと、
複数の特性情報に基づいて複数のユーザ属性を取得するために複数の端末に対応するユーザ属性を決定するように構成される、第1の決定モジュールと、
複数のユーザ属性およびプロモーション情報のターゲットユーザ属性に基づいてプロモーション情報のヒットエクスポージャーの数に関する統計を作成するように構成される、第2の統計モジュールと、
プロモーション情報のヒットエクスポージャーの数、プロモーション情報のエクスポージャーの総数、およびプロモーション情報上でのクリックの総数に基づいてプロモーション情報を掲載することの有効性を決定するように構成される、第2の決定モジュールとを備え得る。
【００１０】
第4の態様において、端末を提供しており、端末は、
マルチメディア情報を閲覧するための命令を受信すると、マルチメディア情報に掲載されているプロモーション情報を表示するように構成される、表示モジュールと、
プロモーション情報の表示処理中にプロモーション情報の特性情報を獲得するように構成される、獲得モジュールであって、特性情報は、ソーシャルアプリケーションの特定アカウントまたは端末情報を含む、獲得モジュールと、
モニタリングサーバが特性情報に基づいてプロモーション情報を掲載することの有効性を決定することができるようにモニタリングサーバに特性情報を送信するように構成される、送信モジュールとを備え得る。
【００１１】
第5の態様において、モニタリングサーバを提供しており、モニタリングサーバは、
1つまたは複数のプロセッサと、
1つまたは複数のプロセッサと接続されるメモリとを備え得るし、メモリは、1つまたは複数のプロセッサによって実行可能な命令を記憶するように構成され、
1つまたは複数のプロセッサは、メモリに記憶されている命令を実行するように構成され得る、メモリは、
複数の端末によって送信された特性情報を、複数の特性情報を取得するために受信し、複数の特性情報は、複数の端末毎にそれぞれプロモーション情報をモニタリングすることによって取得され、複数の特性情報は、ソーシャルアプリケーションの特定アカウントまたは端末情報を含み、
プロモーション情報のエクスポージャーの総数およびプロモーション情報上でのクリックの総数に関する統計を複数の特性情報に基づいて作成し、
複数の端末に対応するユーザ属性を、複数の特性情報に基づいて複数のユーザ属性を取得するために決定し、
プロモーション情報のヒットエクスポージャーの数に関する統計を複数のユーザ属性およびプロモーション情報のターゲットユーザ属性に基づいて作成し、
プロモーション情報を掲載することの有効性をプロモーション情報のヒットエクスポージャーの数、プロモーション情報のエクスポージャーの総数、およびプロモーション情報上でのクリックの総数に基づいて決定する動作を実行するように構成される命令を含む。
【００１２】
第6の態様において、端末を提供しており、端末は、
1つまたは複数のプロセッサと、
1つまたは複数のプロセッサと接続されるメモリとを備え得るし、メモリは、1つまたは複数のプロセッサによって実行可能な命令を記憶するように構成され、
1つまたは複数のプロセッサは、メモリに記憶されている命令を実行するように構成され得る、メモリは、
マルチメディア情報を閲覧するための命令を受信すると、マルチメディア情報に掲載されているプロモーション情報を表示し、
プロモーション情報の特性情報をプロモーション情報の表示処理中に獲得し、特性情報は、ソーシャルアプリケーションの特定アカウントまたは端末情報を含み、
特性情報をモニタリングサーバが特性情報に基づいてプロモーション情報を掲載することの有効性を決定することができるようにモニタリングサーバに送信する動作を実行するように構成される命令を含む。
【００１３】
開示の実施形態によって提供した技術的解決手法は、開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる、という有益な効果を有する。
【００１４】
開示の実施形態における技術的解決手法をより明確に説明するために、実施形態に関する説明に必要な添付の図面を以下に簡単に紹介する。以下に説明した添付の図面は開示の実施形態の一部にすぎず、創造的作業なくこれらの添付の図面に従って他の添付の図面を当業者がさらに取得し得ることは明らかであろう。
【図面の簡単な説明】
【００１５】
【図１】開示の実施形態による、プロモーション情報掲載有効性決定システムの構造図である。
【図２】開示の実施形態による、プロモーション情報を掲載することの有効性を決定するための方法のフローチャートである。
【図３】開示の実施形態による、プロモーション情報を掲載することの有効性を決定するための別の方法のフローチャートである。
【図４】開示の実施形態による、プロモーション情報を掲載することの有効性を決定するための別の方法のフローチャートである。
【図５】開示の実施形態による、モニタリングサーバの構造図である。
【図６】開示の実施形態による、端末の構造図である。
【図７】開示の実施形態による、別のモニタリングサーバの構造図である。
【図８】開示の実施形態による、別の端末の構造図である。
【発明を実施するための形態】
【００１６】
開示の目的、技術的解決手法、および利点をより明確にするために、開示の実施形態モードを詳細に添付の図面を参照して以下にさらに説明することにする。
【００１７】
図1は、開示の実施形態による、プロモーション情報掲載有効性決定システムの構造図である。図1を参照すれば、システムは、複数の端末、モニタリングサーバ、およびプロモーション情報サーバを含む。複数の端末はネットワークを介してモニタリングサーバと接続されており、複数の端末はネットワークを介してプロモーション情報サーバとも接続されており、複数の端末は異なるタイプのものであってもよく、例えば、複数の端末のタイプはモバイル端末または固定端末であってもよく、モニタリングサーバは、ヒットエクスポージャーの数、複数の端末によって表示されるプロモーション情報のエクスポージャーの総数、および複数の端末によって表示されるプロモーション情報上でのクリックの総数に関する統計を作成して、プロモーション情報を掲載することの有効性をさらに決定するように構成され、プロモーション情報サーバは、プロモーション情報を記憶するように構成される、ここで、プロモーション情報のエクスポージャーの総数はプロモーション情報が表示される総回数であり、プロモーション情報のヒットエクスポージャーの数はプロモーション情報のエクスポージャーの総数のうちのターゲットユーザによって閲覧された回数であり、すなわち、プロモーション情報のヒットエクスポージャーの数はプロモーション情報がターゲットユーザによって閲覧された回数であり、プロモーション情報上でのクリックの総数はプロモーション情報がユーザによってクリックされた回数、すなわち、ユーザがプロモーション情報上でクリックしてプロモーション情報の表示処理中にプロモーション情報の詳細情報にアクセスすることができる回数である。
【００１８】
図2は、開示の実施形態による、プロモーション情報を掲載することの有効性を決定するための方法を示しているフローチャートである。図2を参照すれば、前記方法は、サーバに適用され、前記方法は、以下のステップを含む。
【００１９】
ステップ201: 複数の端末によって送信された特性情報を、複数の特性情報を取得するために受信し、複数の特性情報は、複数の端末毎にそれぞれプロモーション情報をモニタリングすることによって取得され、複数の特性情報は、ソーシャルアプリケーションの特定アカウントまたは端末情報を含む。
【００２０】
ステップ202: プロモーション情報のエクスポージャーの総数およびプロモーション情報上でのクリックの総数に関する統計を複数の特性情報に基づいて作成する。
【００２１】
ステップ203: 複数の端末に対応するユーザ属性を、複数の特性情報に基づいて複数のユーザ属性を取得するために決定する。
【００２２】
ステップ204: プロモーション情報のヒットエクスポージャーの数に関する統計を複数のユーザ属性およびプロモーション情報のターゲットユーザ属性に基づいて作成する。
【００２３】
ステップ205: プロモーション情報を掲載することの有効性をプロモーション情報のヒットエクスポージャーの数、プロモーション情報のエクスポージャーの総数、およびプロモーション情報上でのクリックの総数に基づいて決定する。
【００２４】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【００２５】
必要に応じて、複数の端末に対応するユーザ属性を、複数の特性情報に基づいて複数のユーザ属性を取得するために決定するステップは、
複数の特性情報のうちの特性情報のそれぞれについて、ソーシャルアプリケーションのターゲット特定アカウントを特性情報に基づいて決定し、
端末に対応するユーザ属性をソーシャルアプリケーションのターゲット特定アカウントに基づいてソーシャルアプリケーションの特定アカウントとユーザ属性との間の保存されている対応付けから獲得することを含む。
【００２６】
必要に応じて、ソーシャルアプリケーションのターゲット特定アカウントを特性情報に基づいて決定するステップは、
特性情報がソーシャルアプリケーションの特定アカウントである場合には、ソーシャルアプリケーションの特定アカウントをソーシャルアプリケーションのターゲット特定アカウントとして決定することを含む。
【００２７】
必要に応じて、ソーシャルアプリケーションのターゲット特定アカウントを特性情報に基づいて決定するステップは、
特性情報が対応する端末のアドレス情報である場合には、ソーシャルアプリケーションの少なくとも1つの特定アカウントおよびソーシャルアプリケーションの少なくとも1つの特定アカウントがログオンされた回数をアドレス情報、ソーシャルアプリケーションの特定アカウント、およびログイン回数間の保存されている対応付けから端末のアドレス情報に基づいて獲得し、
ログイン回数が最大のソーシャルアプリケーションの特定アカウントをソーシャルアプリケーションの少なくとも1つの特定アカウントから選択し、
ソーシャルアプリケーションの選択された特定アカウントをソーシャルアプリケーションのターゲット特定アカウントとして決定することを含む。
【００２８】
必要に応じて、ソーシャルアプリケーションのターゲット特定アカウントを特性情報に基づいて決定するステップは、
特性情報が対応する端末のモバイル端末識別子である場合には、ソーシャルアプリケーションの少なくとも1つの特定アカウントおよびソーシャルアプリケーションの少なくとも1つの特定アカウントのタイムスタンプをモバイル端末識別子、ソーシャルアプリケーションの特定アカウント、およびタイムスタンプ間の保存されている対応付けから端末のモバイル端末識別子に基づいて獲得し、
タイムスタンプが現在時刻に最も近いソーシャルアプリケーションの特定アカウントをソーシャルアプリケーションの少なくとも1つの特定アカウントから選択し、
ソーシャルアプリケーションの選択された特定アカウントをソーシャルアプリケーションのターゲット特定アカウントとして決定することを含む。
【００２９】
必要に応じて、ソーシャルアプリケーションのターゲット特定アカウントを特性情報に基づいて決定するステップは、
特性情報が対応する端末のモバイル端末識別子である場合には、ソーシャルアプリケーションの少なくとも1つの特定アカウントおよびソーシャルアプリケーションの少なくとも1つの特定アカウントがログオンされた回数をモバイル端末識別子、ソーシャルアプリケーションの特定アカウント、およびログイン回数間の保存されている対応付けから端末のモバイル端末識別子に基づいて獲得し、
ログイン回数が最大のソーシャルアプリケーションの特定アカウントをソーシャルアプリケーションの少なくとも1つの特定アカウントから選択し、
ソーシャルアプリケーションの選択された特定アカウントをソーシャルアプリケーションのターゲット特定アカウントとして決定することを含む。
【００３０】
必要に応じて、プロモーション情報を掲載することの有効性をプロモーション情報のヒットエクスポージャーの数、プロモーション情報のエクスポージャーの総数、およびプロモーション情報上でのクリックの総数に基づいて決定するステップは、
プロモーション情報のヒットエクスポージャーの数を、プロモーション情報のターゲットユーザカバレッジレートを取得するためにプロモーション情報のエクスポージャーの総数で除算し、
プロモーション情報上でのクリックの総数を、プロモーション情報のクリックレートを取得するためにプロモーション情報のエクスポージャーの総数で除算し、
プロモーション情報の掲載有効性インデックスをプロモーション情報のターゲットユーザカバレッジレートおよびプロモーション情報のクリックレートに基づいて計算し、
プロモーション情報を掲載することの有効性をプロモーション情報の掲載有効性インデックスに基づいて決定することを含む。
【００３１】
必要に応じて、プロモーション情報のヒットエクスポージャーの数に関する統計を複数のユーザ属性およびプロモーション情報のターゲットユーザ属性に基づいて作成するステップの前に、前記方法は、
属性設定命令を受信すると、ユーザ属性リストを表示し、
属性選択命令を受信し、属性選択命令は、情報プロモータによってユーザ属性リストから選択されたユーザ属性を搬送し、
選択されたユーザ属性をターゲットユーザ属性として決定することをさらに含む。
【００３２】
任意の技術的解決手法を開示の任意の実施形態に自由に組み合わせてもよく、開示の実施形態において1つずつ詳細に述べることはしない。
【００３３】
図3は、開示の実施形態による、プロモーション情報を掲載することの有効性を決定するための方法を示しているフローチャートである。図3を参照すれば、前記方法は、端末に適用され、前記方法は、以下のステップを含む。
【００３４】
ステップ301: マルチメディア情報を閲覧するための命令を受信すると、マルチメディア情報に掲載されているプロモーション情報を表示する。
【００３５】
ステップ302: プロモーション情報の特性情報をプロモーション情報の表示処理中に獲得し、特性情報は、ソーシャルアプリケーションの特定アカウントまたは端末情報を含む。
【００３６】
ステップ303: プロモーション情報の特性情報をモニタリングサーバがプロモーション情報の特性情報に基づいてプロモーション情報を掲載することの有効性を決定することができるようにモニタリングサーバに送信する。
【００３７】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【００３８】
必要に応じて、プロモーション情報の特性情報をプロモーション情報の表示処理中に獲得するステップは、
ソーシャルアプリケーションの特定アカウントが端末において現在ログオンされているかまたはされていないかをプロモーション情報の表示処理中に評価し、
ソーシャルアプリケーションの特定アカウントが端末において現在ログオンされている場合には、端末において現在ログオンされているソーシャルアプリケーションの特定アカウントをプロモーション情報の特性情報として決定することを含む。
【００３９】
必要に応じて、ソーシャルアプリケーションの特定アカウントが端末において現在ログオンされているかまたはされていないかを評価するステップの後に、前記方法は、
ソーシャルアプリケーションの特定アカウントが端末に現在ログインしていない場合には、ウェブページキャッシュをソーシャルアプリケーションのドメイン名に従ってソーシャルアプリケーションの対応する特定アカウントに関して検索し、
ソーシャルアプリケーションの対応する特定アカウントが見つかった場合には、ソーシャルアプリケーションの見つかった特定アカウントをプロモーション情報の特性情報として決定し、
ソーシャルアプリケーションの対応する特定アカウントが見つからなかった場合には、端末のタイプを決定し、
端末が固定端末である場合には、端末のアドレス情報をプロモーション情報の特性情報として決定し、
端末がモバイル端末である場合には、端末のモバイル端末識別子をプロモーション情報の特性情報として決定することをさらに含む。
【００４０】
任意の技術的解決手法を開示の任意の実施形態に自由に組み合わせてもよく、開示の実施形態において1つずつ詳細に述べることはしない。
【００４１】
図4は、開示の実施形態による、プロモーション情報を掲載することの有効性を決定するための方法を示しているフローチャートである。図4を参照すれば、前記方法は、以下のステップを含む。
【００４２】
ステップ401: 複数の端末のうちの各端末について、端末がマルチメディア情報を閲覧するための命令を受信すると、マルチメディア情報に掲載されているプロモーション情報を表示する。
【００４３】
開示の実施形態においては、マルチメディア情報に掲載されているプロモーション情報が異なる端末にも表示され得るように、すなわち、マルチメディア情報に掲載されているプロモーション情報が複数の画面に表示され得るように、ユーザは、異なるタイプの端末を介してマルチメディア情報を閲覧し得る、例えば、異なるタイプの端末は、携帯電話、IPAD、コンピュータなどであり得る。したがって、プロモーション情報を表示する各端末について、端末がマルチメディア情報を閲覧するための命令を受信すると、端末は、マルチメディア情報に掲載されているプロモーション情報を表示し得る。
【００４４】
プロモーション情報は、マルチメディア情報の開始時または特定の時点に表示されてもよく、プロモーション情報がマルチメディア情報の開始時に表示される場合には、端末は、最初にプロモーション情報を表示して、その後、プロモーション情報が完全に表示された後にマルチメディア情報を表示し得るし、プロモーション情報がマルチメディア情報の特定の時点に表示される場合には、端末は、最初にマルチメディア情報を表示して、その後、マルチメディア情報の表示時間長が特定の時点に達するとプロモーション情報を表示し、プロモーション情報が完全に表示された後にマルチメディア情報の表示処理を再開する。加えて、異なるプロモーション情報は、端末が、マルチメディア情報の識別子に基づいて対応するプロモーション情報に関してマルチメディア情報識別子とプロモーション情報との間のローカルに保存されている対応付けを検索し、対応するプロモーション情報が見つかった場合には、見つかったプロモーション情報を表示し、対応するプロモーション情報が見つからなかった場合には、端末が、マルチメディア情報の識別子を搬送する情報獲得要求をプロモーション情報サーバに送信し、プロモーション情報サーバが情報獲得要求を受信すると、プロモーション情報サーバが、対応するプロモーション情報をマルチメディア情報識別子とプロモーション情報との間の保存されている対応付けから、獲得し、端末がプロモーション情報を表示できるように端末に獲得したプロモーション情報を送信するというように、端末がマルチメディア情報に掲載されているプロモーション情報を表示する動作が実施されるように、異なるマルチメディア情報に掲載されてもよい。
【００４５】
さらに、端末がプロモーション情報サーバによって送信されたプロモーション情報を受信すると、端末は、マルチメディア情報の識別子およびマルチメディア情報識別子とプロモーション情報との間のローカル対応付けに受信したプロモーション情報をさらに記憶し得る。
【００４６】
1つのプロモーション情報が、1つのマルチメディア情報または複数の異なるマルチメディア情報に対応し得る、その結果、マルチメディア情報の識別子と獲得したプロモーション情報とが、マルチメディア情報に掲載されているプロモーション情報をプロモーション情報サーバから獲得するたびに、マルチメディア情報識別子とプロモーション情報との間のローカル対応付けに格納され得るし、その後、次の機会にプロモーション情報を表示する場合には、端末は、プロモーション情報サーバからそれを獲得する必要がなくなり、マルチメディア情報識別子とプロモーション情報との間のローカルに保存されている対応付けからそれを直ちに獲得し得ることに留意することが重要である、したがって、プロモーション情報サーバとのインタラクションの回数を低減しており、プロモーション情報の表示速度をさらに増大している。
【００４７】
加えて、開示の実施形態においては、マルチメディア情報を閲覧するための命令は、第1の特定の操作を介してユーザによってトリガされてもよく、第1の特定の操作は、スワイプ操作、クリック操作、音声操作などであり得るが、開示の実施形態に特に限定されない。
【００４８】
ステップ402: プロモーション情報の特性情報をプロモーション情報の表示処理中に獲得し、特性情報は、ソーシャルアプリケーションの特定アカウントまたは端末情報を含む。
【００４９】
プロモーション情報を掲載することの有効性を決定するために、プロモーション情報の特性情報をプロモーション情報の表示処理中に獲得し得る、このことは、ソーシャルアプリケーションの特定アカウントが端末に現在ログインしているかまたはしていないかをプロモーション情報の表示処理中に評価し、ソーシャルアプリケーションの特定アカウントが端末に現在ログインしている場合には、端末において現在ログオンされているソーシャルアプリケーションの特定アカウントをプロモーション情報の特性情報として決定するというように特に実施され得る。
【００５０】
さらに、ソーシャルアプリケーションの特定アカウントが端末に現在ログインしていない場合には、ウェブページキャッシュを特定のソーシャルアプリケーションのドメイン名に従ってソーシャルアプリケーションの対応する特定アカウントに関して検索し、ソーシャルアプリケーションの対応する特定アカウントが見つかった場合には、ソーシャルアプリケーションの見つかった特定アカウントをプロモーション情報の特性情報として決定し、ソーシャルアプリケーションの対応する特定アカウントが見つからなかった場合には、端末のウェブページキャッシュがクリアされている、または、ソーシャルアプリケーションの特定アカウントが端末にまだログインしていないと決定して、端末のタイプを決定し、端末のタイプが固定端末である場合には、端末のアドレス情報をプロモーション情報の特性情報として決定し、端末のタイプがモバイル端末である場合には、端末のモバイル端末識別子をプロモーション情報の特性情報として決定する。
【００５１】
ここで、ウェブページキャッシュを特定のソーシャルアプリケーションのドメイン名に従ってソーシャルアプリケーションの対応する特定アカウントに関して検索する動作は、端末がソーシャルアプリケーションの対応する特定アカウントに関して特定のソーシャルアプリケーションのドメイン名に従ってウェブページキャッシュ内のドメイン名とソーシャルアプリケーションの特定アカウントとの間の対応付けを検索するというように実施され得る。
【００５２】
端末において現在ログオンされているソーシャルアプリケーションの特定アカウントが存在する場合には、端末において現在ログオンされているソーシャルアプリケーションの特定アカウントをプロモーション情報の特性情報として直ちに決定し、その後、プロモーション情報を閲覧しているユーザがターゲットユーザであるかまたはでないかをプロモーション情報の特性情報に従って決定し、プロモーション情報を掲載することの有効性を決定する精度をさらに改善し得ることに留意することが重要である。
【００５３】
加えて、ソーシャルアプリケーションの特定アカウントが端末に現在ログインしていない場合には、端末は、端末においてログオン済みのソーシャルアプリケーションの特定アカウントを履歴レコードから獲得し得るし、上述した様に、特定のソーシャルアプリケーションのドメイン名に従ってソーシャルアプリケーションの対応する特定アカウントに関してウェブページキャッシュを検索し得るし、ウェブページキャッシュは、通常、クッキーなどの、ブラウザアプリケーションを介した閲覧マルチメディアアプリケーションのキャッシュである、すなわち、クライアントアプリケーションは、通常、対応するウェブページキャッシュを有していない、例えば、ネットニュースをブラウザを介して読む場合には、端末は、通常、ネットニュースのウェブページキャッシュを含み得る一方で、ネットニュースを新規クライアントを介して読む場合には、端末は、通常、ネットニュースのウェブページキャッシュを含み得ない。したがって、マルチメディア情報をブラウザアプリケーションを介して現在閲覧している場合には、端末は、特定のソーシャルアプリケーションのドメイン名に従ってソーシャルアプリケーションの対応する特定アカウントに関してブラウザアプリケーションのウェブページキャッシュを直ちに検索し得る。マルチメディア情報をクライアントアプリケーションを介して現在閲覧している場合には、端末は、対応するブラウザアプリケーションのウェブページキャッシュを検索し得る、それによって、特定のソーシャルアプリケーションのドメイン名に従ってソーシャルアプリケーションの対応する特定アカウントに関してブラウザアプリケーションのウェブページキャッシュを検索している。
【００５４】
ここで、上述したウェブページキャッシュは、マルチメディア情報をウェブページを介して閲覧している場合には、ウェブページデータを格納するように構成されるキャッシュを参照しており、マルチメディア情報をクライアントアプリケーション介して閲覧している場合には、ウェブページキャッシュは存在していない、すなわち、ウェブページキャッシュは、クライアントのためというよりウェブページに存在している、その結果、端末がマルチメディア情報を、現在、ブラウザアプリケーションを介して閲覧しているかクライアントアプリケーションを介してマルチメディア情報を閲覧しているかに関わらず、ウェブページキャッシュにおいてデータを検索する際に、端末は、データに関してブラウザアプリケーションのウェブページキャッシュを検索する必要がなくなる。
【００５５】
加えて、ユーザがウェブページをブラウジングする際に、ユーザがウェブページにログインしていない場合には、ユーザは、ウェブページから限られた数のリソースを獲得するだけとなり得るし、ユーザがウェブページにログインしている場合には、ユーザは、ウェブページからより豊富なリソースを獲得することになり得る。したがって、通常の条件下では、ユーザは、ソーシャルアプリケーションアカウントを使ってウェブページにログインし得るし、その後、ソーシャルアプリケーションアカウントは、ウェブページキャッシュに記憶され得るし、端末は、特定のソーシャルアプリケーションのドメイン名に従ってソーシャルアプリケーションの特定アカウントに関してブラウザアプリケーションのウェブページを検索し得る。
【００５６】
さらに、端末のアドレス情報は、端末のIPアドレスなどであり得るし、端末のモバイル端末識別子は、端末を一意に識別するように構成され、モバイル端末識別子は、端末のシリアル番号などであり得る。モバイル端末のアドレス情報は、端末のネットワークの変化にともない変化し、固定端末のアドレス情報は、固定端末のネットワークが通常変化し得ないため、通常変化し得なく、さらに、モバイル端末については、端末のモバイル端末識別子を端末の特性情報として決定することが比較的より正確なものとなっている。
【００５７】
ステップ403: プロモーション情報の特性情報をモニタリングサーバに送信される。
【００５８】
複数の端末が前記ステップによってプロモーション情報の特性情報を決定すると、プロモーション情報の特性情報は、モニタリングサーバがプロモーション情報を掲載することの有効性を決定することができるように、以下のステップに従ってモニタリングサーバに送信され得る。
【００５９】
ステップ404: モニタリングサーバが、複数の特性情報を取得するために複数の端末によって送信された特性情報を受信する。
【００６０】
ステップ405: モニタリングサーバが、複数の特性情報に基づいてプロモーション情報のエクスポージャーの総数およびプロモーション情報上でのクリックの総数に関する統計を作成する。
【００６１】
プロモーション情報が各端末上に一回表示されると、各端末は、ステップ401からステップ403によってモニタリングサーバに特性情報を一回送信し得る、すなわち、モニタリングサーバは、1つの特性情報を受信するたびにプロモーション情報が一回公開されたと決定する、その結果、プロモーション情報のエクスポージャーの総数を増加して複数の特性情報の数に基づいて現時点におけるプロモーション情報のエクスポージャーの総数を取得し得る。例えば、プロモーション情報のエクスポージャーの総数が300であり、3つの特性情報を受信すると、プロモーション情報のエクスポージャーの総数を3増加して現時点におけるプロモーション情報のエクスポージャーの総数303を取得する。
【００６２】
加えて、プロモーション情報の表示処理において、ユーザは、プロモーション情報上で少なくとも一回クリック操作を実行してもよい、それによって、プロモーション情報の詳細情報を閲覧する、そのため、特性情報は、ユーザによるクリック操作の数をさらに含み得るし、その後、モニタリングサーバは、特性情報のそれぞれに含まれるクリック操作の数に基づいてプロモーション情報上でのクリックの総数に関する統計を作成し得る。例えば、プロモーション情報上でのクリックの総数が400であり、複数の受信特性情報に含まれるクリック操作の総数が15であると、その後、プロモーション情報上でのクリックの総数400を15増加して現時点におけるプロモーション情報上でのクリックの総数415を取得する。
【００６３】
ステップ406: モニタリングサーバが、複数の特性情報に基づいて複数のユーザ属性を取得するために複数の端末に対応するユーザ属性を決定する。
【００６４】
特に、複数の特性情報のうちの特性情報のそれぞれについて、モニタリングサーバは、特性情報に基づいてソーシャルアプリケーションのターゲット特定アカウントを決定し、ソーシャルアプリケーションのターゲット特定アカウントに基づいてソーシャルアプリケーションの特定アカウントとユーザ属性との間の保存されている対応付けから対応するユーザ属性を獲得し、対応する端末に対応するユーザ属性として獲得したユーザ属性を決定する。
【００６５】
各端末に対応するユーザ属性が端末のユーザのグループタイプであり、ユーザ情報がプリファレンス情報およびユーザのユーザ行動などの情報を識別するように構成され得ることに留意することが重要である。したがって、開示の実施形態においては、ソーシャルアプリケーションの各特定アカウントのユーザ情報は事前に獲得されていてもよく、獲得したユーザ情報はソーシャルアプリケーションの各特定アカウントのユーザ属性を取得ために分類され、ソーシャルアプリケーションの特定アカウントとユーザ属性との間の対応付けをさらに記憶している。例えば、ソーシャルアプリケーションの特定アカウントとユーザ属性との間の保存されている対応付けは以下のように表1に示され得る。
【００６６】
【表１】
0006630743.tif 000002
【００６７】
ステップ402における説明から、プロモーション情報の特性情報は、ソーシャルアプリケーションの特定アカウント、アドレス情報、またはモバイル端末識別子であり得る、その結果、ソーシャルアプリケーションのターゲット特定アカウントは特に以下のように4つの方式で決定され得る。
【００６８】
第1の方式: 特性情報がソーシャルアプリケーションの特定アカウントである場合には、ソーシャルアプリケーションの特定アカウントをソーシャルアプリケーションのターゲット特定アカウントとして決定する。
【００６９】
開示の実施形態においては、モニタリングサーバは、ソーシャルアプリケーションのターゲット特定アカウントに基づいてソーシャルアプリケーションの特定アカウントとユーザ属性との間の保存されている対応付けから対応する端末に対応するユーザ属性を直ちに獲得する、その結果、ソーシャルアプリケーションの特定アカウントは、特性情報がソーシャルアプリケーションの特定アカウントである場合にはソーシャルアプリケーションのターゲット特定アカウントとして直ちに決定され得る。
【００７０】
第2の方式: 特性情報が対応する端末のアドレス情報である場合には、ソーシャルアプリケーションの少なくとも1つの特定アカウントおよびソーシャルアプリケーションの少なくとも1つの特定アカウントがログオンされた回数を、アドレス情報、ソーシャルアプリケーションの特定アカウント、およびログイン回数間の保存されている対応付けからアドレス情報に基づいて取得し、ログイン回数が最大のソーシャルアプリケーションの特定アカウントをソーシャルアプリケーションの少なくとも1つの特定アカウントから選択し、ソーシャルアプリケーションの選択された特定アカウントをソーシャルアプリケーションのターゲット特定アカウントとして決定する。
【００７１】
第2の方式については、特性情報が対応する端末のアドレス情報である場合には、端末のタイプは、固定端末であると決定される、その結果、端末のアドレス情報は通常変化し得ない、その後、端末がソーシャルアプリケーションのターゲット特定アカウントを決定する場合には、端末は、アドレス情報に基づいて、ソーシャルアプリケーションの少なくとも1つの特定アカウントおよびソーシャルアプリケーションの少なくとも1つの特定アカウントがログオンされた回数を、アドレス情報、ソーシャルアプリケーションの特定アカウント、およびログイン回数間の保存されている対応付けから、獲得し、ソーシャルアプリケーションの少なくとも1つの特定アカウントがログオンされた回数を比較してソーシャルアプリケーションの少なくとも1つの特定アカウントからログイン回数が最大のソーシャルアプリケーションの特定アカウントを選択し得る、ログイン回数が最大のソーシャルアプリケーションの特定アカウントは、通常、端末のユーザである、したがって、ログイン回数が最大のソーシャルアプリケーションの特定アカウントが、ソーシャルアプリケーションのターゲット特定アカウントとして直ちに決定され得る。
【００７２】
例えば、端末のアドレス情報はアドレス1であり、端末は、ソーシャルアプリケーションの2つの特定アカウント、すなわち、それぞれ1354526および6253523を、アドレス情報、ソーシャルアプリケーションの特定アカウント、およびログイン回数間の、表2に示した、対応付けから獲得し得るし、ソーシャルアプリケーションの特定アカウント1354526に対応するログイン回数は20であり、ソーシャルアプリケーションの特定アカウント6253523に対応するログイン回数は2である、その結果、ログイン回数が最大のソーシャルアプリケーションの特定アカウント1354526が選択され、ソーシャルアプリケーションの特定アカウント1354526が、ソーシャルアプリケーションのターゲット特定アカウントとして決定される。
【００７３】
【表２】
0006630743.tif 000003
【００７４】
ソーシャルアプリケーションの特定アカウントが初めて端末においてログオンされた場合には、モニタリングサーバは、端末のアドレス情報、ソーシャルアプリケーションの特定アカウント、およびソーシャルアプリケーションの特定アカウントがログオンされた回数間の対応付けを記憶し得るし、ソーシャルアプリケーションの特定アカウントがその後端末においてログインされた場合には、モニタリングサーバは、端末のアドレス情報に従って、アドレス情報、ソーシャルアプリケーションの特定アカウント、およびログイン回数間の保存されている対応付けからソーシャルアプリケーションの特定アカウントを獲得し、ソーシャルアプリケーションの獲得した特定アカウントを現在ログオンされているソーシャルアプリケーションの特定アカウントと比較し得るし、2つが同一である場合には、モニタリングサーバは、アドレス情報およびソーシャルアプリケーションの特定アカウントに従って、アドレス情報、ソーシャルアプリケーションの特定アカウント、およびログイン回数間の対応付けにおける、ソーシャルアプリケーションの特定アカウントがログオンされた回数を更新し得ることに留意することが重要である。2つが異なる場合には、新規レコードが対応付けに記憶され得る、すなわち、ソーシャルアプリケーションの特定アカウントは異なる端末においてログオンされ得る。
【００７５】
特に、モニタリングサーバが、アドレス情報およびソーシャルアプリケーションの特定アカウントに従って、アドレス情報、ソーシャルアプリケーションの特定アカウント、およびログイン回数間の対応付けにおけるログイン回数を更新する場合には、モニタリングサーバは、アドレス情報およびソーシャルアプリケーションの特定アカウントに従って、アドレス情報、ソーシャルアプリケーションの特定アカウント、およびログイン回数間の対応付けから対応するログイン回数を取得し、獲得したログイン回数を現在のログイン回数分増加し得る。例えば、モニタリングサーバは、アドレス情報およびソーシャルアプリケーションの特定アカウントに従って、アドレス情報、ソーシャルアプリケーションの特定アカウント、およびログイン回数間の対応付けから2となっている対応するログイン回数を獲得し、現在のログイン回数が1である場合には、モニタリングサーバは、アドレス情報、ソーシャルアプリケーションの特定アカウント、およびログイン回数間の対応付けにおける対応するログイン回数が3となるように更新するために、2となっている獲得したログイン回数を1である現在のログイン回数分増加し得る。
【００７６】
例えば、ソーシャルアプリケーションの特定アカウント1354526が端末においてログオンされた場合には、モニタリングサーバは、アドレス情報、ソーシャルアプリケーションの特定アカウント、およびログイン回数間の、表2に示した、対応付けを記憶し得るし、ソーシャルアプリケーションの特定アカウント1466252が端末においてログオンされた場合には、モニタリングサーバは、端末のアドレス情報に従って表2からソーシャルアプリケーションの対応する特定アカウント1354526を獲得し、ソーシャルアプリケーションの獲得した特定アカウント1354526を現在ログオンされているソーシャルアプリケーションの特定アカウント1466252と比較し得るし、2つが異なっていると決定され、その後、モニタリングサーバは、アドレス1、ソーシャルアプリケーションの特定アカウント1466252、および1であるログイン回数間の対応付けを記憶し得るし、現時点における、アドレス情報、ソーシャルアプリケーションの特定アカウント、およびログイン回数間の、表2に示した、対応付けを表3に示し得る。
【００７７】
【表３】
0006630743.tif 000004
【００７８】
第3の方式: 特性情報が対応する端末のモバイル端末識別子である場合には、ソーシャルアプリケーションの少なくとも1つの特定アカウントおよびソーシャルアプリケーションの少なくとも1つの特定アカウントのタイムスタンプをモバイル端末識別子に基づいてモバイル端末識別子、ソーシャルアプリケーションの特定アカウント、およびタイムスタンプ間の保存されている対応付けから獲得し、タイムスタンプが現在時刻に最も近いソーシャルアプリケーションの特定アカウントをソーシャルアプリケーションの少なくとも1つの特定アカウントから選択し、ソーシャルアプリケーションの選択された特定アカウントをソーシャルアプリケーションのターゲット特定アカウントとして決定する。
【００７９】
第3の方式については、特性情報が端末のモバイル端末識別子である場合には、端末は、モバイル端末であると決定され、モバイル端末のモバイル端末識別子は不変および一意である、その結果、端末がソーシャルアプリケーションのターゲット特定アカウントを決定する場合には、端末は、モバイル端末識別子に基づいてモバイル端末識別子、ソーシャルアプリケーションの特定アカウント、およびタイムスタンプ間の保存されている対応付けからソーシャルアプリケーションの少なくとも1つの特定アカウントおよびソーシャルアプリケーションの少なくとも1つの特定アカウントのタイムスタンプを獲得し得るし、モバイル端末においてログオンされているソーシャルアプリケーションの特定アカウントは、通常、モバイル端末の所有者のソーシャルアプリケーションの特定アカウントである、その結果、タイムスタンプが現在時刻に最も近いソーシャルアプリケーションの特定アカウントをソーシャルアプリケーションの少なくとも1つの特定アカウントから選択し、ソーシャルアプリケーションの選択された特定アカウントをソーシャルアプリケーションのターゲット特定アカウントとして決定する。
【００８０】
開示の実施形態においては、ソーシャルアプリケーションの特定アカウントが端末においてログオンされるたびに、モニタリングサーバは、モバイル端末識別子、ソーシャルアプリケーションの特定アカウント、およびタイムスタンプ間の対応付けを記憶し得る、それによって、上述した方法によりソーシャルアプリケーションのターゲット特定アカウントを決定していることに留意することが重要である。
【００８１】
必要に応じて、開示の実施形態においては、ソーシャルアプリケーションの特定アカウントが初めて端末においてログオンされた場合には、モニタリングサーバは、モバイル端末識別子とソーシャルアプリケーションの特定アカウントとの間の対応付けを記憶し得るし、ソーシャルアプリケーションの別の特定アカウントがその後端末においてログオンされた場合には、モバイル端末識別子とソーシャルアプリケーションの特定アカウントとの間の保存されている対応付けにおけるソーシャルアプリケーションの特定アカウントを端末のモバイル端末識別子に従ってソーシャルアプリケーションの別の特定アカウントで置換し得る。その後、ソーシャルアプリケーションのターゲット特定アカウントを決定する場合には、モニタリングサーバは、モバイル端末識別子に従ってソーシャルアプリケーションの別の特定アカウントをモバイル端末識別子とソーシャルアプリケーションの特定アカウントとの間の保存されている対応付けから、直ちに獲得し得るし、ソーシャルアプリケーションのターゲット特定アカウントとしてソーシャルアプリケーションの獲得した特定アカウントを決定する。例えば、端末のモバイル端末識別子は識別子1であり、モニタリングサーバは、ソーシャルアプリケーションの特定アカウント1354526が初めて端末においてログオンされた場合には、モバイル端末識別子とソーシャルアプリケーションの特定アカウントとの間の、表4に示した、対応付けを記憶し得るし、ソーシャルアプリケーションの特定アカウント2552368がその後端末においてログオンされた場合には、モバイル端末識別子とソーシャルアプリケーションの特定アカウントとの間の保存されている対応付けにおけるソーシャルアプリケーションの特定アカウント1354526を、端末のモバイル端末識別子に従ってモバイル端末識別子とソーシャルアプリケーションの特定アカウントとの間の、表5に示した、対応付けを取得するために、2552368で置換し得る。
【００８２】
【表４】
0006630743.tif 000005
【００８３】
【表５】
0006630743.tif 000006
【００８４】
第4の方式: 特性情報が対応する端末のモバイル端末識別子である場合には、ソーシャルアプリケーションの少なくとも1つの特定アカウントおよびソーシャルアプリケーションの少なくとも1つの特定アカウントがログオンされた回数を、モバイル端末識別子、ソーシャルアプリケーションの特定アカウント、およびログイン回数間の保存されている対応付けからモバイル端末識別子に基づいて獲得し、ログイン回数が最大のソーシャルアプリケーションの特定アカウントをソーシャルアプリケーションの少なくとも1つの特定アカウントから選択し、ソーシャルアプリケーションの選択された特定アカウントをソーシャルアプリケーションのターゲット特定アカウントとして決定する。
【００８５】
第4の方式については、ソーシャルアプリケーションの特定アカウントが最初に端末においてログオンされた場合には、モニタリングサーバは、端末のモバイル端末識別子、ソーシャルアプリケーションの特定アカウント、およびログイン回数間の対応付けを記憶し得るし、ソーシャルアプリケーションの特定アカウントがその後端末においてログオンされた場合には、モニタリングサーバは、モバイル端末識別子、ソーシャルアプリケーションの特定アカウント、およびログイン回数間の保存されている対応付けからソーシャルアプリケーションの対応する特定アカウントを獲得し、ソーシャルアプリケーションの獲得した特定アカウントを現在ログオンされているソーシャルアプリケーションの特定アカウントと比較し得るし、2つが同一である場合には、モニタリングサーバは、モバイル端末識別子およびソーシャルアプリケーションの特定アカウントに従って、モバイル端末識別子、ソーシャルアプリケーションの特定アカウント、およびログイン回数間の対応付けにおけるログイン回数を更新し得る。2つが異なる場合には、新規レコードが、モバイル端末識別子、ソーシャルアプリケーションの特定アカウント、およびログイン回数間の対応付けに記憶され得る、すなわち、ソーシャルアプリケーションの特定アカウントは異なる端末においてログオンされ得る。
【００８６】
特に、モニタリングサーバが、モバイル端末識別子およびソーシャルアプリケーションの特定アカウントに従って、モバイル端末識別子、ソーシャルアプリケーションの特定アカウント、およびログイン回数間の対応付けにおけるログイン回数を更新する場合には、モニタリングサーバは、モバイル端末識別子およびソーシャルアプリケーションの特定アカウントに従って、モバイル端末識別子、ソーシャルアプリケーションの特定アカウント、およびログイン回数間の対応付けから対応するログイン回数を獲得し、獲得したログイン回数を現在のログイン回数分増加し得る。例えば、モニタリングサーバは、モバイル端末識別子およびソーシャルアプリケーションの特定アカウントに従って、モバイル端末識別子、ソーシャルアプリケーションの特定アカウント、およびログイン回数間の対応付けから4となっている対応するログイン回数を獲得し、現在のログイン回数が1である場合には、モニタリングサーバは、モバイル端末識別子、ソーシャルアプリケーションの特定アカウント、およびログイン回数間の対応付けにおける対応するログイン回数が5となるように更新するために、4となっている獲得したログイン回数を1である現在のログイン回数分増加し得る。
【００８７】
ステップ407: モニタリングサーバが、複数のユーザ属性およびプロモーション情報のターゲットユーザ属性に基づいてプロモーション情報のヒットエクスポージャーの数に関する統計を作成する。
【００８８】
ターゲットユーザ属性は、プロモーション情報の視聴ユーザの属性であり、ターゲットユーザ属性は、モニタリングサーバが複数のユーザ属性およびプロモーション情報のターゲットユーザ属性に基づいてプロモーション情報のヒットエクスポージャーの数に関する統計を作成する前に、特に、モニタリングサーバが属性設定命令を受信すると、ユーザ属性リストを表示し、情報プロモータによってユーザ属性リストから選択されたユーザ属性を搬送する属性選択命令を選択し、選択されたユーザ属性をターゲットユーザ属性として決定するというように、設定され得る。例えば、モニタリングサーバが属性設定命令を受信すると、表6に示したユーザ属性リストを表示し得るし、属性選択命令を受信すると、属性選択命令内のオートモービルグループおよびツーリズムグループといったユーザ属性がターゲットユーザ属性として決定される。
【００８９】
【表６】
0006630743.tif 000007
【００９０】
ここで、属性設定命令は、第2の特定の操作を介して情報プロモータによって発信されてもよく、第2の特定の操作は、スワイプ操作、音声操作、設定ボタンクリック操作などであり得るが、開示の実施形態に特に限定されない。
【００９１】
ステップ408: モニタリングサーバは、プロモーション情報のヒットエクスポージャーの数、プロモーション情報のエクスポージャーの総数、およびプロモーション情報上でのクリックの総数に基づいてプロモーション情報を掲載することの有効性を決定する。
【００９２】
特に、プロモーション情報のヒットエクスポージャーの数を、プロモーション情報のターゲットユーザカバレッジレートを取得するためにプロモーション情報のエクスポージャーの総数で除算し、ターゲットユーザカバレッジレートは、プロモーション情報を閲覧しているすべてのユーザのうちプロモーション情報を閲覧しているターゲットユーザの比率であり、プロモーション情報上でのクリックの総数を、プロモーション情報のクリックレートを取得するためにプロモーション情報のエクスポージャーの総数で除算し、プロモーション情報の掲載有効性インデックスをプロモーション情報のターゲットユーザカバレッジレートおよびプロモーション情報のクリックレートに基づいて計算し、プロモーション情報を掲載することの有効性をプロモーション情報の掲載有効性インデックスに基づいて決定する。
【００９３】
プロモーション情報の掲載有効性インデックスをプロモーション情報のターゲットユーザカバレッジレートおよびプロモーション情報のクリックレートに基づいて計算する動作は、プロモーション情報の掲載有効性インデックスを以下の式に従ってプロモーション情報のターゲットユーザカバレッジレートおよびプロモーション情報のクリックレートに基づいて計算するというように実施され得る。
Y=a×L+(1-a)×D
前記式において、Yはプロモーション情報の掲載有効性インデックスであり、Lはプロモーション情報のターゲットユーザカバレッジレートであり、aはターゲットユーザカバレッジレートの重みであり、Dはプロモーション情報のクリックレートである。
【００９４】
開示の実施形態においては、プロモーション情報の初期掲載段階では、ターゲットユーザの蓄積がプロモーション情報のクリックレートより重要である、その結果、ターゲットユーザカバレッジレートの重みをより増加し得るし、プロモーション情報の掲載時間の経過にともない、ターゲットユーザカバレッジレートの重みを徐々に低減すべきである。例えば、プロモーション情報のクリックレートは、プロモーション情報のその後の掲載段階ではプロモーション情報を掲載することの有効性をより反映し得る、その結果、ターゲットユーザカバレッジレートの重みを低減し得る。すなわち、ターゲットユーザカバレッジレートの重みは、プロモーション情報の掲載時間の長さの増加にともない調整され得るし、多くの調整方法を特に採用してもよく、開示の実施形態に特に限定されない。例えば、複数の掲載時間長区分に分割してもよく、ターゲットユーザカバレッジレートの対応する重みは各掲載時間長区分に対して設定され得る。例えば、掲載時間長を0〜15日、16〜90日、および90日以上の3つの区分に分割し、ターゲットユーザカバレッジレートの、0-15日に対応する、重みは0.8であり、ターゲットユーザカバレッジレートの、16-90日に対応する、重みは0.6であり、ターゲットユーザカバレッジレートの、90日以上に対応する、重みは0.3であり、それらは、掲載時間の長さと重みとの間の、表7に示した、対応付けに記憶され得る。
【００９５】
【表１】
0006630743.tif 000008
【００９６】
プロモーション情報の有効性インデックスをターゲットユーザカバレッジレートおよびプロモーション情報のクリックレートに基づいて計算すると、計算の次元を増大しており、有効性インデックスの計算精度をさらに改善している。加えて、プロモーション情報の掲載時間の経過にともない、ターゲットユーザカバレッジレートを調整して実際の状況により一致する計算後の有効性インデックスをさらに作成するとともに有効性インデックスの計算精度を改善している。
【００９７】
ここで、プロモーション情報の掲載有効性インデックスに基づいてプロモーション情報を掲載することの有効性を決定するための方法は多く存在しており、例えば、掲載有効性インデックスが特定の閾値以上である場合には、プロモーション情報の有効性が比較的高いと決定される、さもなければ、プロモーション情報の有効性が比較的低いと決定される。もしくは、プロモーション情報の掲載有効性インデックスも処理してプロモーション情報の有効性をさらに決定する。前記方法は、開示の実施形態に特に限定されない。
【００９８】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【００９９】
図5は、開示の実施形態に従ってモニタリングサーバであり、図5を参照すれば、モニタリングサーバは、
複数の特性情報を取得するために複数の端末によって送信された特性情報を受信するように構成される、受信モジュール501であって、複数の特性情報は、複数の端末毎にそれぞれプロモーション情報をモニタリングすることによって取得され、複数の特性情報は、ソーシャルアプリケーションの特定アカウントまたは端末情報を含む、受信モジュール501と、
複数の特性情報に基づいてプロモーション情報のエクスポージャーの総数およびプロモーション情報上でのクリックの総数に関する統計を作成するように構成される、第1の統計モジュール502と、
複数の特性情報に基づいて複数のユーザ属性を取得するために複数の端末に対応するユーザ属性を決定するように構成される、第1の決定モジュール503と、
複数のユーザ属性およびプロモーション情報のターゲットユーザ属性に基づいてプロモーション情報のヒットエクスポージャーの数に関する統計を作成するように構成される、第2の統計モジュール504と、
プロモーション情報のヒットエクスポージャーの数、プロモーション情報のエクスポージャーの総数、およびプロモーション情報上でのクリックの総数に基づいてプロモーション情報を掲載することの有効性を決定するように構成される、第2の決定モジュール505とを備える。
【０１００】
必要に応じて、第1の決定モジュール503は、
複数の特性情報のうちの特性情報のそれぞれについて、特性情報に基づいてソーシャルアプリケーションのターゲット特定アカウントを決定するように構成される、第1の決定ユニットと、
ソーシャルアプリケーションのターゲット特定アカウントに基づいてソーシャルアプリケーションの特定アカウントとユーザ属性との間の保存されている対応付けから、端末に対応するユーザ属性を獲得するように構成される、獲得ユニットとを備える。
【０１０１】
必要に応じて、第1の決定ユニットは、
特性情報がソーシャルアプリケーションの特定アカウントである場合には、ソーシャルアプリケーションのターゲット特定アカウントとしてソーシャルアプリケーションの特定アカウントを決定するように構成される、第1の決定サブユニットを備える。
【０１０２】
必要に応じて、第1の決定ユニットは、
特性情報が対応する端末のアドレス情報である場合には、端末のアドレス情報、ソーシャルアプリケーションの特定アカウント、およびログイン回数間の保存されている対応付けから、ソーシャルアプリケーションの少なくとも1つの特定アカウントおよびソーシャルアプリケーションの少なくとも1つの特定アカウントがログオンされた回数を、アドレス情報に基づいて、獲得するように構成される、第1の獲得サブユニットと、
ソーシャルアプリケーションの少なくとも1つの特定アカウントからログイン回数が最大のソーシャルアプリケーションの特定アカウントを選択するように構成される、第1の選択サブユニットと、
ソーシャルアプリケーションのターゲット特定アカウントとしてソーシャルアプリケーションの選択された特定アカウントを決定するように構成される、第2の決定サブユニットとを備える。
【０１０３】
必要に応じて、第1の決定ユニットは、
特性情報が対応する端末のモバイル端末識別子である場合には、端末のモバイル端末識別子、ソーシャルアプリケーションの特定アカウント、およびタイムスタンプ間の保存されている対応付けから、ソーシャルアプリケーションの少なくとも1つの特定アカウントおよびソーシャルアプリケーションの少なくとも1つの特定アカウントのタイムスタンプを、モバイル端末識別子に基づいて、獲得するように構成される、第2の獲得サブユニットと、
ソーシャルアプリケーションの少なくとも1つの特定アカウントからタイムスタンプが現在時刻に最も近いソーシャルアプリケーションの特定アカウントを選択するように構成される、第2の選択サブユニットと、
ソーシャルアプリケーションのターゲット特定アカウントとしてソーシャルアプリケーションの選択された特定アカウントを決定するように構成される、第3の決定サブユニットとを備える。
【０１０４】
必要に応じて、第1の決定ユニットは、
特性情報が対応する端末のモバイル端末識別子である場合には、端末のモバイル端末識別子、ソーシャルアプリケーションの特定アカウント、およびログイン回数間の保存されている対応付けから、ソーシャルアプリケーションの少なくとも1つの特定アカウントおよびソーシャルアプリケーションの少なくとも1つの特定アカウントがログオンされた回数を、モバイル端末識別子に基づいて、獲得するように構成される、第3の獲得サブユニットと、
ソーシャルアプリケーションの少なくとも1つの特定アカウントからログイン回数が最大のソーシャルアプリケーションの特定アカウントを選択するように構成される、第3の選択サブユニットと、
ソーシャルアプリケーションのターゲット特定アカウントとしてソーシャルアプリケーションの選択された特定アカウントを決定するように構成される、第4の決定サブユニットとを備える。
【０１０５】
必要に応じて、第2の決定モジュールは、
プロモーション情報のターゲットユーザカバレッジレートを取得するためにプロモーション情報のヒットエクスポージャーの数をプロモーション情報のエクスポージャーの総数で除算するように構成される、第1の計算ユニットと、
プロモーション情報のクリックレートを取得するためにプロモーション情報上でのクリックの総数をプロモーション情報のエクスポージャーの総数で除算するように構成される、第2の計算ユニットと、
プロモーション情報のターゲットユーザカバレッジレートおよびプロモーション情報のクリックレートに基づいてプロモーション情報の掲載有効性インデックスを計算するように構成される、第3の計算ユニットと、
プロモーション情報の掲載有効性インデックスに基づいてプロモーション情報を掲載することの有効性を決定するように構成される、第2の決定ユニットとを備える。
【０１０６】
必要に応じて、モニタリングサーバは、
属性設定命令を受信すると、ユーザ属性リストを表示するように構成される、表示モジュールと、
属性選択命令を受信するように構成される、受信モジュールであって、属性選択命令は、情報プロモータによってユーザ属性リストから選択されたユーザ属性を搬送する、受信モジュールと、
ターゲットユーザ属性として選択されたユーザ属性を決定するように構成される、第3の決定モジュールとをさらに備える。
【０１０７】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【０１０８】
プロモーション情報を掲載することの有効性を決定する際に、実施形態によって提供したモニタリングサーバを、一例として、上述した機能モジュールの各々の分割を用いて説明しているにすぎず、実際の活用においては、上述した機能を要件に従って実現のために異なる機能モジュールに割り振ってもよい、すなわち、モニタリングサーバの内部構造が、上述した機能のすべてまたは一部を実現するために、異なる機能モジュールに分割されることに留意することが重要である。加えて、実施形態によって提供したモニタリングサーバは、プロモーション情報を掲載することの有効性を決定するための方法の実施形態と同一の概念を採用しており、その具体的な実施形態の処理に関する詳細は、方法の実施形態を参照しており、ここでは詳細に述べることはしない。
【０１０９】
図6は、開示の実施形態に従って端末であり、図6を参照すれば、端末は、
マルチメディア情報を閲覧するための命令を受信すると、マルチメディア情報に掲載されているプロモーション情報を表示するように構成される、表示モジュール601と、
プロモーション情報の表示処理中にプロモーション情報の特性情報を獲得するように構成される、であって、特性情報は、ソーシャルアプリケーションの特定アカウントまたは端末情報を含む、獲得モジュール602と、
モニタリングサーバがプロモーション情報の特性情報に基づいてプロモーション情報を掲載することの有効性を決定することができるようにモニタリングサーバにプロモーション情報の特性情報を送信するように構成される、送信モジュール603とを備える。
【０１１０】
必要に応じて、獲得モジュール602は、
プロモーション情報の表示処理中にソーシャルアプリケーションの特定アカウントが端末において現在ログオンされているかまたはされていないかを評価するように構成される、評価ユニットと、
ソーシャルアプリケーションの特定アカウントが端末において現在ログオンされている場合には、端末において現在ログオンされているソーシャルアプリケーションの特定アカウントをプロモーション情報の特性情報として決定するように構成される、第1の決定ユニットとを備える。
【０１１１】
必要に応じて、獲得モジュール602は、
ソーシャルアプリケーションの特定アカウントが端末に現在ログインしていない場合には、ソーシャルアプリケーションのドメイン名に従ってソーシャルアプリケーションの対応する特定アカウントに関してウェブページキャッシュを検索するように構成される、検索ユニットと、
ソーシャルアプリケーションの対応する特定アカウントが見つかった場合には、ソーシャルアプリケーションの見つかった特定アカウントをプロモーション情報の特性情報として決定するように構成される、第2の決定ユニットと、
ソーシャルアプリケーションの対応する特定アカウントが見つからなかった場合には、端末のタイプを決定するように構成される、第3の決定ユニットと、
端末が固定端末である場合には、端末のアドレス情報をプロモーション情報の特性情報として決定するように構成される、第4の決定ユニットと、
端末がモバイル端末である場合には、端末のモバイル端末識別子をプロモーション情報の特性情報として決定するように構成される、第5の決定ユニットとをさらに備える。
【０１１２】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【０１１３】
プロモーション情報を掲載することの有効性を決定する際に、実施形態によって提供した端末を、一例として、上述した機能モジュールの各々の分割を用いて説明しているにすぎず、実際の活用においては、上述した機能を要件に従って実現のために異なる機能モジュールに割り振ってもよい、すなわち、端末の内部構造が、上述した機能のすべてまたは一部を実現するために、異なる機能モジュールに分割されることに留意することが重要である。加えて、実施形態によって提供した端末は、プロモーション情報を掲載することの有効性を決定するための方法の実施形態と同一の概念を採用しており、その具体的な実施形態の処理に関する詳細は、方法の実施形態を参照しており、ここでは詳細に述べることはしない。
【０１１４】
図7は、開示の実施形態による、モニタリングサーバの構造図である。モニタリングサーバ700は、中央処理ユニット(CPU)701と、ランダムアクセスメモリ(RAM)702およびリードオンリーメモリ(ROM)703を含むシステムメモリ704と、システムメモリ704をCPU701と接続するシステムバス705とを備える。モニタリングサーバ700は、コンピュータ内の各デバイスが情報を送信することを支援する基本入力/出力(I/O)システム706と、オペレーティングシステム713、アプリケーションプログラム710、および別のプログラムモジュール715を記憶するように構成される大容量ストレージ機器707とをさらに含む。
【０１１５】
基本I/Oシステム706は、情報を表示するように構成されるディスプレイ708と、ユーザが情報を入力するように構成される、マウスおよびキーボードなどの、入力機器709とを含む、ここで、ディスプレイ708と入力機器709とは、システムバス705に接続されているI/Oコントローラ710を介してCPU701に接続されている。基本I/Oシステム706は、キーボード、マウス、および電子スタイラスなどの複数の他の機器からの入力を受信および処理するように構成されるI/Oコントローラ710をさらに含み得る。同様に、I/Oコントローラ710は、ディスプレイスクリーン、プリンタ、または別のタイプの出力機器に対する出力をさらに提供する。
【０１１６】
大容量ストレージ機器707は、システムバス705に接続されている大容量ストレージコントローラ(図示せず)を介してCPU701に接続されている。大容量ストレージ機器707およびその関連コンピュータ可読媒体は、不揮発性ストレージをモニタリングサーバ700に提供する。すなわち、大容量ストレージ機器707は、ハードディスクまたはコンパクトディスクリードオンリーメモリ(CD-ROM)ドライブなどのコンピュータ可読媒体(図示せず)を含み得る。
【０１１７】
一般に、コンピュータ可読媒体は、コンピュータ記憶媒体および通信媒体を含み得る。コンピュータ記憶媒体は、コンピュータ可読命令、データ構造、プログラムモジュール、または他のデータなどの情報を記憶するように構成されるとともに、任意の方法または技術によって実装されている、揮発性、不揮発性、ムーバブル、およびアンムーバブル媒体を含む。コンピュータ記憶媒体は、RAM、ROM、消去可能プログラマブルリードオンリーメモリ(EPROM)、電気的消去可能プログラマブルリードオンリーメモリ(EEPROM)、フラッシュメモリ、または他のソリッドステートストレージ機器、CD-ROM、デジタルビデオディスク(DVD)、または他の光学ストレージ機器、テープカセット、ストレージテープ、ディスクメモリ、または他の磁気ストレージ機器を含む。当然ながら、当業者は、コンピュータ記憶媒体が上述したものに限定されないことを理解すべきである。システムメモリ704および大容量ストレージ機器707をメモリとしてまとめて理解してもよい。
【０１１８】
開示の各実施形態に従って、モニタリングサーバ300は、動作のためにインターネットなどのネットワークを介してネットワーク上のリモートコンピュータにさらに接続され得る。すなわち、モニタリングサーバ700は、システムバス705に接続されているネットワークインターフェースユニット711を介してネットワーク712に接続され得る、または、ネットワークインターフェースユニット711を介して別のタイプのネットワークもしくはリモートコンピュータシステム(図示せず)にも接続され得る。
【０１１９】
メモリはまた、1つまたは複数のプログラムを含み、1つまたは複数のプログラムは、メモリに記憶されており、1つまたは複数のプログラムは、開示の実施形態によって提供したプロモーション情報有効性決定方法を実行するように構成される命令を含む。
【０１２０】
複数の端末によって送信された特性情報を、複数の特性情報を取得するために受信し、複数の特性情報は、複数の端末毎にそれぞれプロモーション情報をモニタリングすることによって取得され、複数の特性情報は、ソーシャルアプリケーションの特定アカウントまたは端末情報を含む。
【０１２１】
プロモーション情報のエクスポージャーの総数およびプロモーション情報上でのクリックの総数に関する統計を複数の特性情報に基づいて作成する。
【０１２２】
複数の端末に対応するユーザ属性を、複数の特性情報に基づいて複数のユーザ属性を取得するために決定する。
【０１２３】
プロモーション情報のヒットエクスポージャーの数に関する統計を複数のユーザ属性およびプロモーション情報のターゲットユーザ属性に基づいて作成する。
【０１２４】
プロモーション情報を掲載することの有効性をプロモーション情報のヒットエクスポージャーの数、プロモーション情報のエクスポージャーの総数、およびプロモーション情報上でのクリックの総数に基づいて決定する。
【０１２５】
必要に応じて、複数の端末に対応するユーザ属性を、複数の特性情報に基づいて複数のユーザ属性を取得するために決定するステップは、
複数の特性情報のうちの特性情報のそれぞれについて、ソーシャルアプリケーションのターゲット特定アカウントを特性情報に基づいて決定し、
端末に対応するユーザ属性をソーシャルアプリケーションのターゲット特定アカウントに基づいてソーシャルアプリケーションの特定アカウントとユーザ属性との間の保存されている対応付けから獲得することを含む。
【０１２６】
必要に応じて、ソーシャルアプリケーションのターゲット特定アカウントを特性情報に基づいて決定するステップは、
特性情報がソーシャルアプリケーションの特定アカウントである場合には、ソーシャルアプリケーションの特定アカウントをソーシャルアプリケーションのターゲット特定アカウントとして決定することを含む。
【０１２７】
必要に応じて、ソーシャルアプリケーションのターゲット特定アカウントを特性情報に基づいて決定するステップは、
特性情報が対応する端末のアドレス情報である場合には、ソーシャルアプリケーションの少なくとも1つの特定アカウントおよびソーシャルアプリケーションの少なくとも1つの特定アカウントがログオンされた回数をアドレス情報、ソーシャルアプリケーションの特定アカウント、およびログイン回数間の保存されている対応付けから端末のアドレス情報に基づいて獲得し、
ログイン回数が最大のソーシャルアプリケーションの特定アカウントをソーシャルアプリケーションの少なくとも1つの特定アカウントから選択し、
ソーシャルアプリケーションの選択された特定アカウントをソーシャルアプリケーションのターゲット特定アカウントとして決定することを含む。
【０１２８】
必要に応じて、ソーシャルアプリケーションのターゲット特定アカウントを特性情報に基づいて決定するステップは、
特性情報が対応する端末のモバイル端末識別子である場合には、ソーシャルアプリケーションの少なくとも1つの特定アカウントおよびソーシャルアプリケーションの少なくとも1つの特定アカウントのタイムスタンプをモバイル端末識別子、ソーシャルアプリケーションの特定アカウント、およびタイムスタンプ間の保存されている対応付けから、端末のモバイル端末識別子に基づいて、獲得し、
タイムスタンプが現在時刻に最も近いソーシャルアプリケーションの特定アカウントをソーシャルアプリケーションの少なくとも1つの特定アカウントから選択し、
ソーシャルアプリケーションの選択された特定アカウントをソーシャルアプリケーションのターゲット特定アカウントとして決定することを含む。
【０１２９】
必要に応じて、ソーシャルアプリケーションのターゲット特定アカウントを特性情報に基づいて決定するステップは、
特性情報が対応する端末のモバイル端末識別子である場合には、ソーシャルアプリケーションの少なくとも1つの特定アカウントおよびソーシャルアプリケーションの少なくとも1つの特定アカウントがログオンされた回数をモバイル端末識別子、ソーシャルアプリケーションの特定アカウント、およびログイン回数間の保存されている対応付けから端末のモバイル端末識別子に基づいて獲得し、
ログイン回数が最大のソーシャルアプリケーションの特定アカウントをソーシャルアプリケーションの少なくとも1つの特定アカウントから選択し、
ソーシャルアプリケーションの選択された特定アカウントをソーシャルアプリケーションのターゲット特定アカウントとして決定することを含む。
【０１３０】
必要に応じて、プロモーション情報を掲載することの有効性をプロモーション情報のヒットエクスポージャーの数、プロモーション情報のエクスポージャーの総数、およびプロモーション情報上でのクリックの総数に基づいて決定するステップは、
プロモーション情報のヒットエクスポージャーの数を、プロモーション情報のターゲットユーザカバレッジレートを取得するためにプロモーション情報のエクスポージャーの総数で除算し、
プロモーション情報上でのクリックの総数を、プロモーション情報のクリックレートを取得するためにプロモーション情報のエクスポージャーの総数で除算し、
プロモーション情報の掲載有効性インデックスをプロモーション情報のターゲットユーザカバレッジレートおよびプロモーション情報のクリックレートに基づいて計算し、
プロモーション情報を掲載することの有効性をプロモーション情報の掲載有効性インデックスに基づいて決定することを含む。
【０１３１】
必要に応じて、プロモーション情報のヒットエクスポージャーの数に関する統計を複数のユーザ属性およびプロモーション情報のターゲットユーザ属性に基づいて作成するステップの前に、前記方法は、
属性設定命令を受信すると、ユーザ属性リストを表示し、
属性選択命令を受信し、属性選択命令は、情報プロモータによってユーザ属性リストから選択されたユーザ属性を搬送し、
選択されたユーザ属性をターゲットユーザ属性として決定することをさらに含む。
【０１３２】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【０１３３】
例示的な実施形態においては、命令を含む非一時的コンピュータ可読記憶媒体、例えば、命令を含むメモリも提供しており、命令は、プロモーション情報を掲載することの有効性を決定するための方法を実施するためにモニタリングサーバのプロセッサによって実行され得る。例えば、非一時的コンピュータ可読記憶媒体は、ROM、RAM、CD-ROM、ストレージテープ、フロッピーディスク、光学データストレージ機器などであり得る。
【０１３４】
図8は、開示の実施形態による、端末の構造ブロック図であり、端末800は、通信ユニット810、1つまたは複数のコンピュータ可読記憶媒体を備えるメモリ820、入力ユニット830、表示ユニット840、センサ850、オーディオ回路860、ワイヤレス・フィディリティー(WIFI)モジュール870、1つまたは複数の処理コアを備えるプロセッサ880、および電源890などのパーツを備え得る。図8に示した端末構造は、端末を限定することを意図しておらず、図に示したものより多くのまたは少ないパーツを備えていてもよい、または、いくつかのパーツを組み合わせてもよい、または、パーツを異なる方式で配置してもよいことを当業者は理解すべきである。
【０１３５】
ここで、通信ユニット810は、情報送信および受信または通信プロセスにおいて信号を受信および送信するように構成され得るし、通信ユニット810は、無線周波数(RF)回路、ルータ、およびモデムなどのネットワーク通信機器であり得る。特に、RF回路である場合には、通信ユニット810は、基地局のダウンリンク情報を、それを受信した後に、処理のために1つまたは複数のプロセッサ880に送信し、関連するアップリンクデータを基地局に送信もする。通常、通信ユニットとして機能するRF回路は、アンテナ、少なくとも1つの増幅器、チューナ、1つまたは複数のオシレータ、加入者識別モジュール(SIM)カード、トランシーバ、カプラ、低雑音増幅器(LNA)、デュープレクサなどを備えるがこれらに限定されない。加えて、通信ユニット810は、無線通信方式でネットワークおよび他の機器とさらに通信し得る。無線通信は、モバイル通信用グローバルシステム(GSM(登録商標))、ジェネラル・パケット・ラジオ・サービス(GPRS)、符号分割多元接続(CDMA)、広帯域符号分割多元接続(WCDMA(登録商標))、ロング・ターム・エボリューション(LTE)、電子メール、ショート・メッセージ・サービス(SMS)などを含むがこれらに限定されない任意の通信標準規格またはプロトコルを採用し得る。メモリ820は、ソフトウェアプログラムおよびモジュールを記憶するように構成され得る。プロセッサ880は、メモリ820に記憶されているソフトウェアプログラムおよびモジュールを動作する、それによって、様々な機能アプリケーションおよびデータ処理を実行する。メモリ820は、プログラムストレージエリアおよびデータストレージエリアを主に備え得る、ここで、プログラムストレージエリアは、オペレーティングシステム、少なくとも1つの機能(サウンド再生機能および画像再生機能など)に必要なアプリケーションプログラムなどを記憶し得るし、データストレージエリアは、端末800の使用に従って作成されるデータ(オーディオデータおよび電話帳など)などを記憶し得る。加えて、メモリ820は、高速度ランダムアクセスメモリを含み得るし、少なくとも1つのディスクメモリ、フラッシュメモリまたは別の揮発性ソリッドステートメモリなどの不揮発性メモリも含み得る。それに対応するように、メモリ820は、プロセッサ880および入力ユニット830に対してメモリ820へのアクセスを提供するためのメモリコントローラをさらに備え得る。
【０１３６】
入力ユニット830は、入力デジタルまたはキャラクタ情報を受信し、ユーザ設定および機能制御に関連する、キーボード、マウス、操作ロッド、光学、またはトラックボールの信号入力を生成し得る。好ましくは、入力ユニット830は、タッチセンサ式サーフェス831および他の入力機器832を備え得る。タッチディスプレイスクリーンまたはタッチパッドとも称される、タッチセンサ式サーフェス831は、その上または近傍でのユーザのタッチ操作(指およびスタイラスなどの任意の適切なオブジェクトによってタッチセンサ式サーフェス831上またはタッチセンサ式サーフェス831の近傍で実行されるユーザの操作など)を収集し、プリセットプログラムに従って対応する関連デバイスを駆動し得る。必要に応じて、タッチセンサ式サーフェス831は、2つのパーツ、すなわちタッチ検出デバイスおよびタッチコントローラを含み得る、ここで、タッチ検出デバイスは、ユーザのタッチ方向を検出し、タッチ操作によって生成された信号を検出し、信号をタッチコントローラに送信し、タッチコントローラは、タッチ情報をタッチ検出デバイスから受信し、プロセッサ880に送信するためにタッチ座標にそれを変換し、プロセッサ880によって送信されたコマンドを受信および実行し得る。加えて、タッチセンサ式サーフェス831は、抵抗、コンデンサ、赤外線、弾性表面波などを採用することによって実装され得る。タッチセンサ式サーフェス831のそばに、入力ユニット830は、他の入力機器832をさらに含み得る。好ましくは、他の入力機器832は、1つまたは複数の物理キーボード、ファンクションキー(ボリューム制御キーおよびオン/オフキーなど)、トラックボール、マウス、操作ロッドなどを含み得るがこれらに限定されない。
【０１３７】
表示ユニット840は、ユーザによって入力された情報またはユーザに提供される情報および端末800の様々なグラフィカルユーザインターフェースを表示するように構成され得るし、これらのグラフィカルユーザインターフェースは、図、テキスト、アイコン、ビデオ、および任意のその組合せによって形成され得る。表示ユニット840は、表示パネル841を含み得るし、表示パネル841は、液晶ディスプレイ(LCD)、有機発光ダイオード(OLED)などの形式で必要に応じて構成され得る。さらに、タッチセンサ式サーフェス831は、表示パネル841をカバーし得る、タッチセンサ式サーフェス831上または近傍でのタッチ操作は、検出後にタッチイベントのタイプを決定するためにプロセッサ880に送信され、その後、プロセッサ880は、タッチイベントに従って表示パネル841上に対応する視覚的出力を提供する。図8中のタッチセンサ式サーフェス831および表示パネル841は2つの独立したパーツとして入力および出力機能を実現しているが、タッチセンサ式サーフェス831および表示パネル841は、いくつかの実施形態においては入力および出力機能を実現するために統合される。
【０１３８】
端末800は、光センサ、モーションセンサおよび別のセンサなどの、少なくとも1つのセンサ850をさらに含み得る。光センサは、照度センサおよび近接センサを含み得る、ここで、照度センサは、周辺光の明るさに従って表示パネル841の輝度を調整し得るし、近接センサは、端末800が耳に移動すると表示パネル841および/またはバックライトを消し得る。モーションセンサとしては、重力加速度センサが、各方向(通常、3つの軸)における加速度の大きさを検出し得るし、静止状態における重力の大きさおよび方向を検出し得るし、携帯電話状態識別アプリケーション(水平および垂直スクリーンの切り替え、関連するゲーム、および磁力計の状態較正など)、振動識別関連機能(歩数計およびノッキングなど)などのために構成され得る。端末800に構成され得る、ジャイロスコープ、大気圧計、湿度計、温度計、および赤外線センサなどの他のセンサは、ここでは詳細に述べることはしない。
【０１３９】
オーディオ回路860、ラウドスピーカ861およびマイクロフォン862は、ユーザと端末800との間のオーディオインターフェースを提供し得る。オーディオ回路860は、受信したオーディオデータから変換された電気信号をラウドスピーカ861に送信し得るし、ラウドスピーカ861は、出力のために電気信号をサウンド信号に変換し、一方、マイクロフォン862は、収集されたサウンド信号を電気信号に変換し、オーディオ回路860は、電気信号を受信してオーディオデータに変換し、処理のためにプロセッサ880にオーディオデータを出力し、通信ユニット810を介して別の端末にオーディオデータを送信する、または、さらなる処理のためにメモリ820にオーディオデータを出力する。オーディオ回路860は、外部イヤホンと端末800との間の通信を提供するためのイヤプラグホールをさらに備え得る。
【０１４０】
無線通信ユニット870は、端末上で無線通信を実施するように構成され得るし、無線通信ユニット870は、WIFIモジュールであり得る。WIFIは、近距離無線伝送技術に属し、端末800は、無線通信ユニット870を介してユーザが電子メールを送信及び受信したり、ウェブページをブラウジングしたり、ストリーミング媒体にアクセスしたりすることなどを支援し得るし、それは、ユーザのために無線広帯域インターネットアクセスを提供する。無線通信ユニット870を図に示しているが、それは、端末800に必須のコンポーネントではなく、要件に従って開示の本質の範囲を変更しない限り完全に除去されてもよいことを理解されよう。
【０１４１】
プロセッサ880は、端末800の制御センタとして、様々なインターフェースおよび線によって携帯電話全体の各パーツに接続しており、メモリ820に記憶されているソフトウェアプログラムおよび/またはモジュールを動作または実行することによって、および、メモリ820に記憶されているデータを呼び出すことによって、端末800の様々な機能およびデータ処理を実行する、それによって、端末全体をモニタリングしている。必要に応じて、プロセッサ880は、1つまたは複数の処理コアを含み得るし、好ましくは、プロセッサ880は、アプリケーションプロセッサと変調および復調プロセッサとを統合してもよい、ここで、アプリケーションプロセッサは、オペレーティングシステム、ユーザインターフェース、アプリケーションプログラムなどを主に処理し、変調および復調プロセッサは、無線通信を主に処理する。変調および復調プロセッサをプロセッサ880に統合しなくてもよいことは理解されよう。
【０１４２】
端末800は、各パーツに電力を供給するために電源890(バッテリなど)をさらに備え、好ましくは、電源は、電力管理システムを介してプロセッサ880と論理的に接続され得る、それによって、電力管理システムを介した充電および放電管理、電力消費管理などの機能を実現している。電源890は、直流または交流電源、再充電可能なシステム、電力故障検出回路、電力コンバータまたはインバータ、電力状態インジケータなどのうちの1つまたは複数をさらに含み得る。
【０１４３】
図示していないが、端末800は、カメラ、Bluetooth(登録商標)モジュールなどをさらに含み得るが、ここでは詳細に述べることはしない。
【０１４４】
前記実施形態においては、端末は、1つまたは複数のプログラムをさらに含み、1つまたは複数のプログラムは、メモリに記憶されており、1つまたは複数のプロセッサによって実行されるように構成され、1つまたは複数のプログラムは、開示の実施形態によって提供したプロモーション情報を掲載することの有効性を決定するための方法を実行するように構成される命令を含む。
【０１４５】
マルチメディア情報を閲覧するための命令を受信すると、マルチメディア情報に掲載されているプロモーション情報を表示する。
【０１４６】
プロモーション情報の特性情報をプロモーション情報の表示処理中に獲得し、特性情報は、ソーシャルアプリケーションの特定アカウントまたは端末情報を含む。
【０１４７】
プロモーション情報の特性情報をモニタリングサーバがプロモーション情報の特性情報に基づいてプロモーション情報を掲載することの有効性を決定することができるようにモニタリングサーバに送信する。
【０１４８】
必要に応じて、プロモーション情報の特性情報をプロモーション情報の表示処理中に獲得するステップは、
ソーシャルアプリケーションの特定アカウントが端末において現在ログオンされているかまたはされていないかをプロモーション情報の表示処理中に評価し、
ソーシャルアプリケーションの特定アカウントが端末において現在ログオンされている場合には、端末において現在ログオンされているソーシャルアプリケーションの特定アカウントをプロモーション情報の特性情報として決定することを含む。
【０１４９】
必要に応じて、ソーシャルアプリケーションの特定アカウントが端末において現在ログオンされているかまたはされていないかを評価するステップの後に、前記方法は、
ソーシャルアプリケーションの特定アカウントが端末に現在ログインしていない場合には、ウェブページキャッシュをソーシャルアプリケーションのドメイン名に従ってソーシャルアプリケーションの対応する特定アカウントに関して検索し、
ソーシャルアプリケーションの対応する特定アカウントが見つかった場合には、ソーシャルアプリケーションの見つかった特定アカウントをプロモーション情報の特性情報として決定し、
ソーシャルアプリケーションの対応する特定アカウントが見つからなかった場合には、端末のタイプを決定し、
端末が固定端末である場合には、端末のアドレス情報をプロモーション情報の特性情報として決定し、
端末がモバイル端末である場合には、端末のモバイル端末識別子をプロモーション情報の特性情報として決定することをさらに含む。
【０１５０】
開示の実施形態において、端末は、プロモーション情報の表示処理中にプロモーション情報の特性情報を決定し得るし、特性情報は、ソーシャルアプリケーションの特定アカウントまたは端末情報を含み、その後、モニタリングサーバは、端末によって送信された特性情報に従って端末に対応するユーザ属性を決定し、端末のユーザ属性およびターゲットユーザ属性に基づいてプロモーション情報を閲覧しているユーザがターゲットユーザであるかまたはではないかを決定し、さらに、プロモーション情報のヒットエクスポージャーの数に関する統計を作成し得る、すなわち、プロモーション情報のヒットエクスポージャーの数は、プロモーション情報の視聴ユーザに関する統計を作成することによって取得される、その結果、ヒットエクスポージャーの数はより適切なものとなり、さらに、プロモーション情報のヒットエクスポージャーの数に基づいてプロモーション情報を掲載することの有効性を決定する精度が比較的高くなる。
【０１５１】
例示的な実施形態においては、命令を含む非一時的コンピュータ可読記憶媒体、例えば、命令を含むメモリも提供しており、命令は、プロモーション情報を掲載することの有効性を決定するための方法を実施するためにモニタリングサーバのプロセッサによって実行され得る。例えば、非一時的コンピュータ可読記憶媒体は、ROM、RAM、CD-ROM、ストレージテープ、フロッピーディスク、光学データストレージ機器などであり得る。
【０１５２】
実施形態のステップのすべてまたは一部を、ハードウェアによって実施し得るし、プログラムによって命令される関連ハードウェアによって実施し得るし、プログラムは、コンピュータ可読記憶媒体に記憶され得るし、上述した記憶媒体は、ROM、磁気ディスク、コンパクトディスクなどであり得ることを当業者は理解すべきである。
【０１５３】
上述したものは、開示の望ましい実施形態にすぎず、開示を限定することを意図しておらず、開示の精神および原理内における、任意の修正、均等物との置換、改良などは、開示の保護の範囲に含まれるものとする。
【符号の説明】
【０１５４】
501  受信モジュール
502  第1の統計モジュール
503  第1の決定モジュール
504  第2の統計モジュール
505  第2の決定モジュール
601  表示モジュール
602  獲得モジュール
603  送信モジュール
704  システムメモリ
705  システムバス
706  I/Oコントローラ
707  大容量ストレージ機器
708  ディスプレイ
709  入力機器
710  アプリケーションプログラム
711  ネットワークインターフェースユニット
712  ネットワーク
713  オペレーティングシステム
715  他のプログラムモジュール
810  通信ユニット
820  メモリ
830  入力ユニット
831  タッチセンサ式サーフェス
832  他の入力機器
840  表示ユニット
841  表示パネル
850  センサ
860  オーディオ回路
870  無線通信ユニット
880  プロセッサ
890  電源
【図１】
0006630743.tif 000009
【図２】
0006630743.tif 000010
【図３】
0006630743.tif 000011
【図４】
0006630743.tif 000012
【図５】
0006630743.tif 000013
【図６】
0006630743.tif 000014
【図７】
0006630743.tif 000015
【図８】
0006630743.tif 000016